(57)【要約】      （修正有）【課題】温度調整部を有する衣服の使い勝手において、一層合理的な技術を提供すること。【解決手段】衣服１００Ａであって、内側領域と、外側領域１１０と、衣服と使用者の間におけるエアの温度を調整可能に構成された温度調整部２００と、内側領域と外側領域とを連通する開口部１５０と、を有し、開口部は、装着体を装着した使用者が衣服を着用した場合において、装着体の係合部を内側領域から外側領域へと挿通可能に構成される。【選択図】図４
2020114958.tif 000002
【特許請求の範囲】
【請求項１】
装着体を装着した使用者に着用される衣服であって、
前記装着体は、所定の対象物に係合可能な係合部を有し、
前記衣服は、
前記衣服が使用者に着用された場合に使用者側へ向けられる内側領域と、
前記内側領域とは反対側に位置する外側領域と、
前記衣服と使用者の間におけるエアの温度を調整可能に構成された温度調整部と、
前記内側領域と前記外側領域とを連通する開口部と、を有し、
前記開口部は、前記係合部を前記内側領域から前記外側領域へと挿通可能に構成されることを特徴とする衣服。
【請求項２】
請求項１に記載された衣服であって、
前記装着体は、安全帯により構成され、
前記係合部は、作業現場における所定の箇所に係合されるハンガーフックにより構成されることを特徴とする衣服。
【請求項３】
請求項１に記載された衣服であって、
前記装着体は、作業具支持帯により構成され、
前記係合部は、所定の作業具に係合される作業具用フックにより構成されることを特徴とする衣服。
【請求項４】
請求項１〜３のいずれか１項に記載された衣服であって、
前記内側領域の少なくとも一部を構成する内装部と、前記外側領域の少なくとも一部を構成する外装部と、前記内装部と前記外装部の間に設けられた内部空間部と、を有し、
前記温度調整部は、前記内部空間部内のエアの温度を調整可能に構成されることを特徴とする衣服。
【請求項５】
請求項４に記載された衣服であって、
前記温度調整部は、モータおよび前記モータにより回転駆動されるファンを含む送風ユニットを有し、
前記送風ユニットは、前記内部空間部に向けてエアを送出するよう構成されることを特徴とする衣服。
【請求項６】
請求項４または５に記載された衣服であって、
前記温度調整部は、前記送風ユニットを複数収容する本体部を有することを特徴とする衣服。
【請求項７】
請求項４または５に記載された衣服であって、
前記温度調整部は、各々が前記送風ユニットを収容する本体部を複数有することを特徴とする衣服。
【請求項８】
請求項１〜７のいずれか１項に記載された衣服であって、
前記開口部は、使用者が前記衣服を着用した場合において、使用者の背側に配置されるよう構成されることを特徴とする衣服。
【請求項９】
請求項４〜８のいずれか１項に記載された衣服であって、
前記開口部は、前記内装部と、前記外装部と、前記内装部と前記外装部に亘り延在するとともに前記内装部と前記外装部を連結する延在連結部を有することを特徴とする衣服。
【請求項１０】
請求項１〜９のいずれか１項に記載された衣服であって、
前記開口部は、前記開口部の少なくとも一部を開閉可能とするよう構成された開閉部を有することを特徴とする衣服。
【請求項１１】
請求項１０に記載された衣服であって、
前記開閉部は、務歯と、当該務歯に係止されたスライダーと、を有するファスナーにより構成され、
前記スライダーは、第１スライダー要素と、第２スライダー要素と、を有することを特徴とする衣服。
【請求項１２】
請求項１０に記載された衣服であって、
前記衣服は、使用者が起立して前記衣服を着用した状態における上下方向に基づき上側と下側を定義し、
前記開閉部は、務歯と、当該務歯に係止された単一のスライダーと、を有するファスナーにより構成され、
前記ファスナーは、前記スライダーを前記下側から前記上側へ移動させた場合に前記開閉部を開状態とし、前記スライダーを前記上側から前記下側へ移動させた場合に前記開閉部を閉状態とするよう構成されることを特徴とする衣服。
【請求項１３】
請求項１〜１２のいずれか１項に記載された衣服であって、
使用者が前記衣服を着用した場合において、使用者の胸側に配置されるよう構成された胸側開口部をさらに有することを特徴とする衣服。
【請求項１４】
請求項１３に記載された衣服であって、
前記胸側開口部は、使用者の胸側に配置されたリング部を備える安全帯を装着した使用者が前記衣服を着用した場合において、前記リング部を前記衣服の外側に露出可能に構成されるとともに、
前記衣服はさらに、前記リング部に係合可能に構成されたリング係合部を有することを特徴とする衣服。
【請求項１５】
請求項１〜１４のいずれか１項に記載された衣服であって、
前記温度調整部を動作させるためのバッテリを有することを特徴とする衣服。
【請求項１６】
安全帯を装着した使用者に着用される衣服であって、
前記衣服の外部から吸入したエアを前記衣服と使用者の間に供給する送風装置と、
前記送風装置に電力を供給するバッテリと、
開口部と、を有し、
前記開口部は、前記安全帯の一部を前記衣服から露出可能に構成されることを特徴とする衣服。
【請求項１７】
作業具を支持するための作業具支持帯を装着した使用者に着用される衣服であって、
前記衣服の外部から吸入したエアを前記衣服と使用者の間に供給する送風装置と、
前記送風装置に電力を供給するバッテリと、
開口部と、を有し、
前記開口部は、前記作業具支持帯の一部を前記衣服から露出可能に構成されることを特徴とする衣服。
【請求項１８】
安全帯を装着した使用者に着用される衣服であって、
前記衣服に設けられた発熱装置と、
前記発熱装置に電力を供給するバッテリと、
開口部と、を有し、
前記開口部は、前記安全帯の一部を前記衣服から露出可能に構成されることを特徴とする衣服。
【請求項１９】
作業具を支持するための作業具支持帯を装着した使用者に着用される衣服であって、
前記衣服に設けられた発熱装置と、
前記発熱装置に電力を供給するバッテリと、
開口部と、を有し、
前記開口部は、前記作業具支持帯の一部を前記衣服から露出可能に構成されることを特徴とする衣服。
【請求項２０】
請求項１６〜１９のいずれか１項に記載された衣服であって、
前記開口部は、前記開口部の少なくとも一部を開閉可能とするよう構成された開閉部を有することを特徴とする衣服。
【発明の詳細な説明】
【技術分野】
【０００１】
本発明は、温度調節部を有する衣服に関する。
【背景技術】
【０００２】
使用者にエアを送風するための送風装置が、特開２０１６−３７９５９号公報に開示されている。当該送風装置は、送風機および導風パイプが設けられたベース部材を有している。ベース部材は、使用者に着用されるよう構成されている。当該構成によって送風装置は、送風機からのエアを導風パイプを介して使用者に送出して、使用者を冷却するよう構成されている。
【先行技術文献】
【特許文献】
【０００３】
【特許文献１】特開２０１６−３７９５９号公報
【発明の概要】
【発明が解決しようとする課題】
【０００４】
当該送風装置は、特に人体に的確にエアを送出できることから、建設現場や土木現場での作業者に対して効果的に機能していた。一方、安全帯を装着した作業者が当該送風装置を着用した場合には、安全帯に設けられたハンガーフックなどを操作する便宜上、さらなる工夫が要望されていた。
また作業者は、当該送風装置を使用する場合に上着を着用する。このような状態で刈払い機を使用する際、作業者は刈払い機を支持するための肩掛けベルトを上着の外部側から懸下する。この結果、作業者と上着の間の空間が減少してしまい、作業者は十分なエアの供給を受けられない場合がある。このため、作業者と上着との間の空間を効率的に活用するためのさらなる工夫が要望されていた。
【０００５】
本発明はこのような点に鑑みて創案されたものであり、温度調整部を有する衣服の使い勝手において、一層合理的な技術を提供することを目的とする。
【課題を解決するための手段】
【０００６】
上記課題を解決するため本発明は、装着体を装着した使用者に着用される衣服に関する。装着体は、所定の対象物に係合可能な係合部を有する。衣服は、当該衣服が使用者に着用された場合に使用者側へ向けられる内側領域と、内側領域とは反対側に位置する外側領域と、衣服と使用者の間におけるエアの温度を調整可能に構成された温度調整部と、内側領域と外側領域とを連通する開口部と、を有する。
開口部は、係合部を内側領域から外側領域へと挿通可能に構成される。
【０００７】
本発明に係る衣服によれば、使用者は開口部を通じて装着体の係合部を取り出し、所定の対象物に係合することができる。なお係合部はフックにより構成することができる。また、所定の対象物にフックを設けることもできる。この場合、装着体には係合部として当該フックに係合されるリングなどを設けることができる。
【０００８】
装着体の一例として、安全帯を挙げることができる。安全帯は、ハーネスと称されることがある。当該安全帯は、使用者に装着されるベルト本体を有する。この場合、係合部は当該ベルト本体に接続されるハンガーフックにより構成することができる。装着体が安全帯により構成される場合にあっては、使用者は、ハンガーフックを開口部を通じて内側領域から外側領域に導き、作業現場における所定の対象物に係合させることができる。これによって、使用者は、安全が確保された状態において、温度調整が図られた快適な環境の下で作業を行うことができる。
なお、安全帯としては、使用者の腰に着用するベルト型、使用者の上半身および下半身に装着される所謂フルハーネス型などを使用することができる。ハンガーフックは、ロープ（安全綱）を介して安全帯と接続される。ハンガーフックとロープとを総称してランヤードと称することがある。
【０００９】
また装着体の一例として、所定の作業具を支持するための作業具支持帯を挙げることができる。作業具の具体的な例としては、原動機と、当該原動機により回転駆動される回転体を有する刈払い機を挙げることができる。作業具が刈払い機により構成される場合、作業具支持帯は肩掛けベルトにより構成することができる。当該肩掛けベルトは、使用者に装着される肩掛けベルトベルト本体を有する。この場合、係合部は当該肩掛けベルト本体に接続される刈払い機用フックにより構成することができる。装着体が肩掛けベルトにより構成される場合にあっては、使用者は、刈払い機用フックを開口部を通じて内側領域から外側領域に導き、作業現場における所定の対象物に係合させることができる。当該構成によって使用者は、肩掛けベルトを装着した状態で衣服を着用することができる。この場合使用者は、肩掛けベルトの刈払い機用フックを、開口部を通じて外部に露出して刈払い機に係止することができる。このため、衣服と使用者の間の空間を肩掛けベルトにより減少することがないため、温度調整部により衣服と使用者の間におけるエアの温度を効率的に調整することができる。これによって、使用者は、温度調整が図られた快適な環境の下で刈払い作業を行うことができる。なお、肩掛けベルトは、使用者に対してたすき状に装着することや、使用者の一方の肩から下方向へ懸下するよう装着することができる。なお刈払い機の原動機は、バッテリにより駆動されるモータや、ガソリンなどの液体燃料により駆動されるエンジンが好適に用いられる。また、刈払い機としては、回転体によって刈払い作業のみを行う構成のものや、当該回転体を取り外してヘッジトリマ、チェーンソー、耕運機などの作業を行うためのアタッチメントを装着可能に構成されたものを使用することができる。
また作業具の他の構成として、例えば園芸工具を挙げることができる。園芸工具の具体的な例として、ブロワ、バキュームブロワ、ポールヘッジトリマ、ポールソー、耕運機などを挙げることができる。
【００１０】
なお本発明に係る衣服は、装着体を装着した使用者が着用可能な構成のものを広範に含むことができる。具体的には、使用者の上半身における最外面側に着用されるいわゆる上着（ジャケット）、下半身に着用するズボン、上着とズボンが一体化したつなぎ服があげられる。なお上着の場合、袖を有するタイプのものや、袖の無いタイプを選択的に採用することができる。
温度調整部は、衣服と着用者の間におけるエアの温度を調節可能であれば種々の構成を使用することができる。具体的な温度調整部としては、使用者に対しエアを送出する送風装置や、エアを温める発熱装置が挙げられる。これらの温度調整部は、効果的な機能の発現や長時間での使用を考慮すると、バッテリにより駆動される構成であることが好ましい。この際、温度調整部の電源として複数の作業工具を駆動可能であるバッテリを使用することができる。この場合は、使用者が作業工具用として所有しているバッテリを本発明に係る衣服に活用できるため、使用者にとって経済性を向上することが可能となる。
開口部の大きさ、形状および衣服に対する配置位置は、装着体の係合部に対応して設計することができる。
【００１１】
また上記課題を解決するため本発明の衣服において、装着体を、安全帯により構成することができ、係合部を、作業現場における所定の箇所に係合されるハンガーフックにより構成することができる。
【００１２】
また上記課題を解決するため本発明の衣服において、装着体を、作業具支持帯により構成することができ、係合部を、所定の作業具に係合される作業具用フックにより構成することができる。
【００１３】
また本発明に係る衣服の一態様として、内側領域の少なくとも一部を構成する内装部と、外側領域の少なくとも一部を構成する外装部と、内装部と外装部の間に設けられた内部空間部と、を有することができる。当該構成において温度調整部は、内部空間部内のエアの温度を調整可能に構成することができる。
なお内装部は、所望の内部空間部を得るために内側領域の全部または一部に設けることができる。なお、外装部は外観や機能性に鑑みて複数の布体等の部品を組み合わせて構成することや、装飾品を設けることができる。
【００１４】
本態様に係る衣服によれば、内部空間部内のエアの温度を温度調整部が調整することができる。なお内装部は、内部空間部におけるエアを送出するための開口部を有することができる。当該開口部は、首、脇、背中など使用者が暑さを感じやすい箇所に送風可能なように構成することができる。
【００１５】
また本発明に係る衣服の一態様として、温度調整部は、モータおよびモータにより回転駆動されるファンを含む送風ユニットを有することができる。当該構成において送風ユニットは、内部空間部に向けてエアを送出するよう構成される。
【００１６】
本態様に係る衣服によれば、送風ユニットが内部空間部にエアを供給することにより、内部空間部のエアの温度調整を効率的に行うことができる。
なお、モータはブラシ付きモータやブラシレスモータにより構成することができる。ファンは、モータの駆動軸に直接的に取り付けることや、当該駆動軸に対して減速機構を介して取り付けることが可能である。
【００１７】
また本発明に係る衣服の一態様として、温度調整部は、送風ユニットを複数収容する本体部を有することができる。
また本発明に係る衣服の一態様として、温度調整部は、各々が送風ユニットを収容する本体部を複数有することができる。
【００１８】
これらの態様に係る衣服によれば、所望の衣服に対して最適な本体部を提供することができる。
【００１９】
また本発明に係る衣服の一態様として、開口部は、使用者が衣服を着用した場合において、使用者の背側に配置されるよう構成することができる。
特に装着体がフルハーネス型安全帯の場合、使用者の作業性などに鑑みて係合部と連結されるロープが背側に接続される。この態様に係る衣服によれば、開口部を通じて係合部を容易に取り出すことができる。
【００２０】
また本発明に係る衣服の一態様として、開口部は、内装部と、外装部と、内装部と外装部に亘り延在するとともに内装部と外装部を連結する延在連結部を有することができる。
本態様に係る衣服によれば、内装部と、外装部と、延在連結部とにより内部空間部を形成することができる。延在連結部は、内部空間部を構成するためのマチ部である、
延在連結部によって、温度調整部（送風ユニット）により内部空間部にエアを送出した場合に拡張される内部空間部の容積を拡大することができる。換言すると、延在連結部は、内部空間部の容積を確保する容積確保部を構成し得る。
【００２１】
また本発明に係る衣服の一態様として、開口部は、開口部の少なくとも一部を開閉可能とするよう構成された開閉部を有することができる。
本態様に係る衣服によれば、使用者が装着体を装着していない場合などにおいて開口部を閉塞することができるため、より機能的な衣服を提供することができる。さらに、例えば使用者が装着体として安全帯を装着した場合、開口部からの係合部の取り出しにあたっては、係合部と連結されたロープの動きを妨げない範囲で開口部を閉めることができる。このため、開口部からエアが漏洩することを抑制することが可能となる。
なお開閉部は、例えば務歯とスライダーにより構成されるファスナーを使用することができる。さらに開閉部は、ボタン、スナップまたは面ファスナーなどにより構成することができる。
【００２２】
また本発明に係る衣服の一態様として、開閉部は、務歯と、務歯に係止されたスライダーと、を有するファスナーにより構成することができる。スライダーは、第１スライダー要素と、第２スライダー要素と、を有することができる。
本態様に係る衣服によれば、第１スライダー要素と第２スライダー要素を使用者が任意に操作することにより、務歯における開口部の大きさや位置を自由に調整することができる。例えば装着体が安全帯により構成される場合、使用者は、安全帯の係合部を挿通させるための大きさを有する開口部を形成するよう第１スライダー要素と第２スライダー要素を操作し、係合部を衣服の外部に導出した後に、係合部と安全帯とを接続するロープを挿通させるための大きさを有する開口部を形成するよう第１スライダー要素と第２スライダー要素を操作することができる。この場合、ロープを挿通可能な開口部は、係合部を挿通可能な開口部よりも小さく構成されるため、使用者と衣服の間のエアが開口部から漏洩することを抑制することが可能となる。
【００２３】
また本発明に係る衣服の一態様として、衣服は、使用者が起立して衣服を着用した状態における上下方向に基づき上側と下側を定義することができる。開閉部は、務歯と、当該務歯に係止された単一のスライダーと、を有するファスナーにより構成することができる。ファスナーは、スライダーを下側から上側へ移動させた場合に開閉部を開状態とし、スライダーを上側から下側へ移動させた場合に開閉部を閉状態とするよう構成することができる。
本態様に係る衣服によれば、単一のスライダーを使用者が上下方向に操作することにより、務歯における開口部の大きさや位置を自由に調整することができる。例えば装着体が作業具支持帯により構成される場合、使用者は、係合部を内側領域から外側領域に挿通させるため、スライダーを下側から上側に移動させ、開口部を形成する。当該開口部から係合部を衣服の外部に導出した後に、係合部に適した大きさを有する開口部を形成するようスライダーを上側から下側に移動させる。この場合、使用者はスライダーを目視しながら作業を行うことができるため、開口部の大きさの調整を容易に行うことが可能となる。なお、ファスナーは上下方向に延在するよう衣服に設けられる。
【００２４】
また本発明に係る衣服の一態様として、使用者が衣服を着用した場合において、使用者の胸側に配置されるよう構成された胸側開口部をさらに有することができる。
例えば装着体がフルハーネス型安全帯により構成される場合、当該副ハーネス型安全帯の胸側には、背側から延出される係合部を係止するためのリング部が設けられる場合がある。本形態に係る衣服においては、当該リング部を胸側開口部から露出させることにより、装着体（フルハーネス型安全帯）の機能を効率的に発現させることができる。
なお、胸側開口部は衣服の胸ポケットに設けることができる。
また胸側開口部は、胸側開口部の少なくとも一部を開閉可能とするよう構成された胸側開閉部を有することができる。当該構成により、例えば使用者がリング部を使用する必要が無い場合には、開閉部により胸側開口部を閉じることができる。これによって、胸側開口部からのエアの漏洩を抑制することが可能となる。なお胸側開閉部は、例えば務歯とスライダーにより構成されるファスナーを使用することができる。さらに胸側開閉部は、ボタン、スナップまたは面ファスナーなどにより構成することができる。
【００２５】
また本発明に係る衣服の一態様として、胸側開口部は、使用者の胸側に配置されたリング部を備える装着体を装着した使用者が衣服を着用した場合において、リング部を前記衣服の外側に露出可能に構成することができる。当該構成にあっては、衣服はさらに、リング部に係合可能に構成されたリング係合部を有することができる。
【００２６】
本態様に係る衣服によれば、リング係合部を装着体のリング部に係合させることにより、当該リング部が胸側開口部を通じて衣服の内側へ移動することを抑制することができる。
なおリング係合部は、例えば一端を衣服に縫着するとともに他端を自由端とする帯状体と、当該帯状態の他端部に設けられるとともに衣服の外側領域に対して着脱可能に構成された着脱部とにより構成することができる。当該着脱部は、ファスナー、ボタン、スナップなどにより構成することができる。
【００２７】
また本発明に係る衣服の一態様として、温度調整部を動作させるためのバッテリを有することができる。
なお当該バッテリは、複数の電動工具を駆動可能なバッテリであることが好ましい。この場合は使用者が電動工具用に所有するバッテリを、本発明に係る衣服に使用することができる。すなわち使用者は衣服用に新たなバッテリを購入する必要がないため、経済的である。
【００２８】
また本発明に係る衣服は、安全帯を装着した使用者に着用される衣服であって、衣服の外部から吸入したエアを衣服と使用者の間に供給する送風装置と、送風装置に電力を供給するバッテリと、開口部と、を有する。開口部は、安全帯の一部を衣服から露出可能に構成される。
安全帯は、使用者に装着されるベルト本体と、所定の対象物に係合可能なハンガーフックとを有する。開口部は、ベルト本体またはハンガーフックの少なくとも一部を、衣服の内側から外側に延出することができる。
【００２９】
また本発明に係る衣服は、作業具を支持するための作業具支持帯を装着した使用者に着用される衣服であって、衣服の外部から吸入したエアを衣服と使用者の間に供給する送風装置と、送風装置に電力を供給するバッテリと、開口部と、を有する。開口部は、作業具支持帯の一部を衣服から露出可能に構成される。
作業具支持帯は、使用者に装着される作業具支持帯本体と、作業具に係合可能な作業具用フックとを有する。開口部は、作業具支持帯本体または作業具用フックの少なくとも一部を、衣服の内側から外側に延出することができる。
【００３０】
また本発明に係る衣服は、安全帯を装着した使用者に着用される衣服であって、衣服に設けられた発熱装置と、発熱装置に電力を供給するバッテリと、開口部と、を有する。開口部は、安全帯の一部を衣服から露出可能に構成される。
【００３１】
作業具を支持するための作業具支持帯を装着した使用者に着用される衣服であって、
前記衣服に設けられた発熱装置と、
前記発熱装置に電力を供給するバッテリと、
開口部と、を有し、
前記開口部は、作業具支持帯の一部を前記衣服から露出可能に構成されることを特徴とする衣服。
【００３２】
また本発明に係る衣服の一態様として、開口部は、開口部の少なくとも一部を開閉可能とするよう構成された開閉部を有することができる。
【発明の効果】
【００３３】
本発明によれば、温度調整部を有する衣服の使い勝手において一層合理的な技術を提供することが可能となる。
【図面の簡単な説明】
【００３４】
【図１】安全帯の概要を示す正面図である。
【図２】安全帯の概要を示す背面図である。
【図３】第１実施形態に係る衣服の概要を示す正面斜視図である。
【図４】第１実施形態に係る衣服の概要を示す背面斜視図である。
【図５】第１実施形態に係る衣服の動作を示す説明図である。
【図６】胸側開口部の構成を示す説明図である。
【図７】胸側開口部の動作を示す説明図である。
【図８】内側領域の構成を示す説明図である。
【図９】内部空間部の構成を示す説明図である。
【図１０】内部空間部の構成を示す説明図である。
【図１１】送風装置の構成を示す説明図である。
【図１２】送風装置の構成を示す断面図である。
【図１３】第２実施形態に係る衣服の概要を示す説明図である。
【図１４】第２実施形態に係る衣服の動作を示す説明図である。
【図１５】第３実施形態に係る衣服の概要を示す説明図である。
【図１６】第３実施形態に係る衣服の概要を示す説明図である。
【図１７】第３実施形態に係る衣服の動作を示す説明図である。
【図１８】第４実施例に係る衣服の動作を示す説明図である。
【図１９】第５実施形態に係る衣服の概要を示す説明図である。
【図２０】第６実施形態に係る衣服の概要を示す説明図である。
【図２１】刈払い機の構成を示す斜視図である。
【図２２】肩掛けベルトの構成を示す斜視図である。
【図２３】第７実施形態に係る衣服の概要を示す正面斜視図である。
【図２４】第７実施形態に係る衣服の概要を示す背面斜視図である。
【図２５】第７実施形態に係る衣服の内側領域を示す説明図である。
【図２６】第７実施形態に係る衣服の動作を示す説明図である。
【図２７】第８実施形態に係る衣服の概要を示す説明図である。
【発明を実施するための形態】
【００３５】
以下、本発明に係る衣服の第１実施形態〜第８実施形態につき、図１〜図２７に基づき説明する。図１〜図１２は第１実施形態に係る衣服（作業上着）１００Ａ、図１３〜図１４は第２実施形態に係る衣服（作業上着）１００Ｂ、図１５〜図１７は第３実施形態に係る衣服（作業上着）１００Ｃ、図１８は第４実施形態に係る衣服（作業上着）１００Ｄ、図１９は第５実施形態に係る衣服（作業上着）１００Ｅ、図２０は第６実施形態に係る衣服（作業上着）１００Ｆ、図２１〜図２６は第７実施形態に係る衣服（作業上着）１００Ｇ、図２７は第８実施形態に係る衣服（作業上着）１００Ｈのそれぞれ説明図である。なお第１実施形態〜第６実施形態は、本発明に係る装着体が安全帯３００により構成された例を示す。また第７実施形態および第８実施形態は、本発明に係る装着体が作業具支持具（肩掛けベルト４００）により構成された例を示す。
第１実施形態の作業上着１００Ａにつき説明した構成や部品につき、第２〜第８実施形態の作業上着１００Ｂ〜１００Ｈと同一または同様の構造や機能を有するものについては、同一の符号を用いてその説明を省略する場合がある。
【００３６】
（第１実施形態）
第１実施形態に係る作業上着１００Ａを図１〜図１２に基づき説明する。この作業上着１００Ａが本発明に係る「衣服」の一例である。作業上着１００Ａは、図１、図２に示される安全帯３００を装着した着用者が、当該安全帯３００の上から着用するよう構成される。
【００３７】
（安全帯）
図１、図２に示される安全帯３００は所謂フルハーネス型安全帯と称される構成を有する。安全帯３００は、使用者の上半身、下半身および腰回りに装着されるベルト本体３００ａを有する。図２に示す通り、ベルト本体３００ａの背面側には、ロープ３１３と、ロープ３１３を巻き取るリール３１２と、ロープ３１３の先端側に設けられるハンガーフック３１１が設けられる。当該ロープ３１３およびハンガーフック３１１により構成される部品は、ランヤードと称されることがある。当該構成によって、安全帯３００を装着した使用者がハンガーフック３１１を作業現場の所定位置に係合させることにより、使用者が高所から滑落した際の事故を抑制することができる。
図１に示す通りベルト本体３００ａにおける使用者の胸位置には、リング３１４がリング保持部３１５を介して設けられる。例えば使用者が、ハンガーフック３１１を作業現場の所定位置に係合させる必要の無い場合がある。より具体的には、使用者が高所ではない作業現場において移動する場合や、地上での作業を行う場合や、安全な場所での休憩を行う場合などが挙げられる。このような場合には、使用者はハンガーフック３１１を当該リング３１４に係合することができる。これによって、使用者はハンガーフック３１１を把持する必要が無くなるため、移動などの容易化を図ることができる。
この安全帯３００が本発明に係る「装着体」または「安全帯」の一例であり、ハンガーフック３１１が本発明に係る「係合部」または「ハンガーフック」の一例であり、リング３１４が本発明に係る「リング部」の一例である。
【００３８】
（作業上着）
図３の正面斜視図、図４の背面斜視図に基づき作業上着１００Ａの外観構造を説明する。図３および図４に示す通り、作業上着１００Ａの外側領域１１０は外装部１１０Ａにより構成される。この外側領域１１０が本発明に係る「外側領域」の一例であり、外装部１１０Ａが本発明に係る「外装部」の一例である。作業上着１００Ａは、使用者の腕を挿通するための袖部１１１と、胸ポケット部１６０を有する。当該胸ポケット部１６０の開口部は、ファスナー１６１により開閉可能に構成される。
なお作業上着１００Ａは、作業上着１００Ａが使用者に着用された場合に使用者側に向けられる内側領域１２０（図８参照）を有する。作業上着１００Ａにおいて、内側領域１２０は外側領域１１０の反対側に位置する。この内側領域１２０が本発明に係る「内側領域」の一例である。外側領域１１０は作業上着１００Ａの外面側を構成し、内側領域１２０は作業上着１００Ａの内面側を構成する。
図４に示す通り作業上着１００Ａの背面側には、送風装置２００が取り付けられる。この送風装置２００が本発明に係る「温度調整部」の一例である。当該送風装置２００を取り付けるために、作業上着１００Ａの背面側には送風装置用開口部１１２（図１１参照）が設けられる。
【００３９】
（背側開口部）
図８には、作業上着１００Ａの内側領域１２０が示される。内側領域１２０の所定領域には、内装部１２０Ａが設けられる。図８に示す通り、外装部１１０Ａには外装部背側開口部１１０Ｂが設けられる。内装部１２０Ａには内装部背側開口部１２０Ｂが設けられる。当該外装部背側開口部１１０Ｂと内装部背側開口部１２０Ｂが重なる領域は、背側開口部１５０を構成する。
図４および図５に示す通り、作業上着１００Ａの外装部背側開口部１１０Ｂにはファスナー１５１が設けられる。ファスナー１５１は、務歯１５２と、当該務歯１５２に係止されたスライダー１５３とを有する。スライダー１５３は、第１スライダー要素１５３Ａと、第２スライダー要素１５３Ｂとを有する。このファスナー１５１が本発明に係る「開閉部」または「ファスナー」の一例であり、務歯１５２が本発明に係る「務歯」の一例であり、スライダー１５３が本発明に係る「スライダー」の一例であり、第１スライダー要素１５３Ａが本発明に係る「第１スライダー要素」の一例であり、第２スライダー要素１５３Ｂが本発明に係る「第２スライダー要素」の一例である。
スライダー１５３により外装部背側開口部１１０Ｂを閉塞した場合には、背側開口部１５０は構成されない。一方、第１スライダー要素１５３Ａと第２スライダー要素１５３Ｂを互いに離間する方向に操作することにより、作業上着１００Ａの背面側に背側開口部１５０を設けることができる。背側開口部１５０は、内側領域１２０と外側領域１１０とを連通する（図９参照）。この背側開口部１５０が本発明に係る「開口部」の一例である。背側開口部１５０は、安全帯３００のリール３１２（図２参照）に相当する位置に設けられる。当該構成によって、背側開口部１５０を通じてハンガーフック３１１を使用者の外側に導出することができる。
【００４０】
スライダー１５３は第１スライダー要素１５３Ａと第２スライダー要素１５３Ｂとを有するため、使用者は、第１スライダー要素１５３Ａと第２スライダー要素１５３Ｂをそれぞれ独立的に操作することによって、務歯１５２上の任意の位置に所望の大きさを有する背側開口部１５０を設けることが可能となる。
例えば使用者は、ハンガーフック３１１を挿通させるための大きさを有する背側開口部１５０を形成するよう第１スライダー要素１５３Ａと第２スライダー要素１５３Ｂを操作し、ハンガーフック３１１を作業上着１００Ａの外部に導出した後に、ロープ３１３を挿通させるための大きさを有する背側開口部１５０を形成するよう第１スライダー要素１５３Ａと第２スライダー要素１５３Ｂを操作することができる。
【００４１】
（胸側開口部）
図３に示される胸ポケット部１６０の構成につき、図６および図７に基づき説明する。図６および図７は、胸ポケット部１６０に設けられたファスナー１６１を開放した状態を示す。なお図６および図７において、ファスナー１６１は説明の便宜上省略される。
図６に示す通り胸ポケット部１６０は、外装部１１０Ａの所定領域と、当該外装部１１０Ａの所定領域の内側に設けられたシート部１６２とにより構成される。シート部１６２には胸側開口部１６３が設けられる。この胸側開口部１６３が本発明に係る「胸側開口部」の一例である。図６に示す通りシート部１６２には、リング係合部１６４が設けられる。このリング係合部１６４が本発明に係る「リング係合部」の一例である。リング係合部１６４は帯状体により構成され、胸側開口部１６３の一部を覆うように配置される。リング係合部１６４の一端部（図６における下側端部）はシート部１６２に接続されている。リング係合部１６４の他端部（図６における上側端部）は自由端部とされている。自由端部と、当該自由端部が当接されるシート部１６２の所定領域にはスナップが配置される。これによってリング係合部１６４の自由端部は、シート部１６２に対して着脱自在とされる。
【００４２】
図７に示す通り胸側開口部１６３によって、安全帯３００のリング３１４（図２参照）を外側へ露出させることができる。すなわち、まずリング係合部１６４におけるスナップの係合状態を解除し、胸側開口部１６３からリング３１４を露出させる。その後、リング３１４の内側にリング係合部１６４を挿通させ、リング係合部１６４の自由端部とシート部１６２とのスナップを係合させる。これによってリング３１４が作業上着１００Ａの外側に露出される。さらにリング３１４が、リング係合部１６４によって胸側開口部１６３を経由して作業上着１００Ａの内側へと移動することを防止することができる。
この結果、使用者は作業上着１００Ａを着用し、送風装置２００を稼働させている状態であっても、リング３１４を胸側開口部１６３から露出させるとともに、安全帯３００のハンガーフック３１１をリング３１４に係止することが可能となる。
【００４３】
また図３に示す通り、作業上着１００Ａの下端領域にはリング３１６が設けられる。より具体的には、リング３１６は、作業上着１００Ａの下端に設けられた伸縮部を有する領域に接続される。当該伸縮部にはゴムなどの弾性部材が配置されている。
使用者は、リング３１４が構成されていない安全帯３００を使用する場合がある。このような構成の安全帯３００を使用者が装着した場合であっても、使用者はリング３１６に安全帯３００のハンガーフック３１１を係止することが可能となる。
【００４４】
（内部空間部）
図８に示す通り、内装部１２０Ａの外縁部は、使用者の脇および首に相当する領域、および送風装置２００に対応する一部の領域を除いて外装部１１０Ａと接続される。内装部１２０Ａと外装部１１０Ａの非接続領域には、送風開口部１４１が構成される。使用者の脇に相当する領域の送風開口部１４１にはファスナー１４２が設けられる。
なお図９に示す通り、内装部背側開口部１２０Ｂと外装部背側開口部１１０Ｂとの間には背側送風開口部１４１Ａが構成される。当該背側送風開口部１４１Ａは、内装部背側開口部１２０Ｂの縁部と外装部背側開口部１１０Ｂの縁部の少なくとも一部同士を接続する接続部を設けることにより開口のサイズを調整可能に構成される。当該接続部は、作業上着１００Ａにおいては、内装部背側開口部１２０Ｂの開口縁周辺に設けられたボタン孔１２０Ｃと、当該ボタン孔１２０Ｃと対応する外装部１１０Ａの領域に設けられたボタン１１０Ｃにより構成される。なお接続部は、ファスナー、面ファスナーまたはスナップなどにより構成してもよい。
【００４５】
図８〜図１０に示す通り、外装部１１０Ａと、内装部１２０Ａにより囲まれた領域は内部空間部１４０を構成する。この内部空間部１４０が本発明に係る「内部空間部」の一例である。なお説明の便宜上、図９および図１０においてはファスナー１５１の記載を省略する。図４に示される送風装置２００は、内部空間部１４０に向かいエアを送出する。内部空間部１４０内のエアは使用者の体温により温度が上昇するが、当該内部空間部１４０内のエアは送風装置２００から取り込まれた外気により冷却される。内部空間部１４０の容積は送風装置２００からのエアにより拡大される。
【００４６】
図９に示す通り内部空間部１４０へ貯留されたエアは、送風開口部１４１および背側送風開口部１４１Ａから送出される。すなわち、送風装置２００からのエアは作業上着１００Ａと使用者の間に供給される。図８に示す通り、送風開口部１４１は使用者の首、脇、腰に相当する位置に設けられている。すなわち、送風開口部１４１は使用者が暑さを感じやすい部位に設けられているため、送風開口部１４１からのエアによって使用者を効率的に冷却することができる。なお、ファスナー１４２を開閉することにより、使用者の脇に対する冷却効果を調整することができる。
なお図９に示す通り使用者は、背側開口部１５０の大きさをロープ３１３が挿通可能な範囲内にて、第１スライダー要素１５３Ａと第２スライダー要素１５３Ｂにより調節可能である。これによって、背側開口部１５０からのエアの漏洩を抑制することができる。
【００４７】
また使用者が背側送風開口部１４１Ａから排出されるエアの量を調整する場合は、図１０に示す通りボタン１１０Ｃとボタン孔１２０Ｃとを係止することができる。当該構成によって、使用者は背側送風開口部１４１Ａおよび送風開口部１４１から排出されるエアの量を任意に調整することが可能となる。
【００４８】
なお外装部１１０Ａ、シート部１６２は木綿などの天然繊維や、ナイロンなどの合成樹脂繊維による布帛により構成することができる。また内装部１２０Ａは、当該布帛や合成樹脂によるフィルム体により構成することができる。外装部１１０Ａとシート部１６２の接続や、外装部１１０Ａと内装部１２０Ａとの接続は、縫製や接着剤による接着固定などにより行うことができる。
【００４９】
（送風装置）
図４、図１１および図１２に基づき送風装置２００の構造を説明する。図１１に示す通り、送風装置２００は、送風ユニット２２０を収容した送風ハウジング２１０を有する。なお、第１実施形態に係る送風装置２００においては、２つの送風ユニット２２０が送風ハウジング２１０に収容される。一方、さらに多数の送風ユニット２２０や、単数の送風ユニット２２０を送風ハウジング２１０に収容させることもできる。この送風ハウジング２１０が本発明に係る「本体部」の一例であり、送風ユニット２２０が本発明に係る「送風ユニット」の一例である。
図１２に示す通り送風ユニット２２０は、駆動モータ２２１と、当該駆動モータ２２１の駆動軸２２１Ａに取り付けられたファン２２２とを有する。この駆動モータ２２１が本発明に係る「モータ」の一例であり、ファン２２２が本発明に係る「ファン」の一例である。
【００５０】
送風ハウジング２１０は、駆動モータ２２１の駆動軸２２１Ａの延在方向と交差する方向（交差方向）に設けられた吸気口部２１１と、駆動軸２２１Ａの延在方向に設けられた排気口部２１２とを有する。当該構成によって、使用者が壁にもたれて送風ハウジング２１０が当該壁に当接した場合などにおいても、送風ハウジング２１０は効率的に吸気口部２１１からエアを取り込み、内部空間部１４０へ向けて当該エアを送出することができる。
【００５１】
図１２に示す通り送風ハウジング２１０は、排気口部２１２が内部空間部１４０に配置されるとともに吸気口部２１１が作業上着１００Ａの外部に配置される状態にて、作業上着１００Ａに装着される。図４に示す通り送風ハウジング２１０は、第１送風装置係合部１７１と、第２送風装置係合部１７２とにより作業上着１００Ａに対して着脱可能に構成される。第１送風装置係合部１７１はファスナーにより構成される。当該ファスナーにおいて、一方の務歯は送風ハウジング２１０の周囲に設けられ、他方の務歯は送風装置用開口部１１２（図１２参照）に設けられる。第２送風装置係合部１７２は、送風ハウジング２１０から延在される短冊片と、作業上着１００Ａの所定領域を着脱可能に係合するスナップにより構成される。第１送風装置係合部１７１と第２送風装置係合部１７２により、送風装置２００と作業上着１００Ａとの係合状態を確実に保つことができる。
【００５２】
図４には、駆動モータ２２１を駆動するためのバッテリ２４０が示される。バッテリ２４０は、バッテリ受部２３０に対して着脱可能に構成される。バッテリ受部２３０は、使用者のベルトに取り付けられるクリップ部２３１を有する。なお説明の便宜上、図示を省略するが、バッテリ受部２３０と送風ハウジング２１０とに亘り、駆動モータ２２１に電流や駆動信号などを伝達するための電装ケーブルが設けられる。このバッテリ２４０が本発明に係る「バッテリ」の一例である。
なおバッテリ２４０は、電動工具や暖房機能を有する作業上着などに使用するものを援用することができる。これによって使用者は作業上着１００Ａの経済的な活用を図ることができる。
【００５３】
（作業上着の動作）
上述した構成により送風装置２００からのエアが、内部空間部１４０を介して使用者へ送出されるため、使用者は当該エアにより冷却されることとなる。すなわち、作業上着１００Ａは使用者の作業環境の向上を図ることができる。
特に、使用者が安全帯３００を装着している状態であっても、図４に示す通り作業上着１００Ａの背側開口部１５０からハンガーフック３１１を容易に取り出し、安全に作業を行うことができる。また図７に示す通り、胸側開口部１６３からリング３１４を露出させるとともに、当該リング３１４にリング係合部１６４を係合することができる。これによって。例えば使用者が、ハンガーフック３１１を作業現場の所定位置に係合させる必要の無い場合がある。より具体的には、使用者が高所ではない作業現場において移動する場合や、地上での作業を行う場合や、安全な場所での休憩を行う場合などが挙げられる。このような場合には、使用者はハンガーフック３１１を当該リング３１４に係合することができる。これによって、使用者はハンガーフック３１１を把持する必要が無くなるため、移動などの容易化を図ることができる。なお使用者は、ハンガーフック３１１をリング３１６に係止することもできる。
【００５４】
なお作業上着１００Ａは、使用者が安全帯３００を着用していない場合にあっては、背側開口部１５０をファスナー１５１により閉塞することができる。これによって、作業上着１００Ａの外観の向上を図ることが可能となる。さらに、使用者が安全帯３００を装着して背側開口部１５０からハンガーフック３１１を取り出した場合には、ハンガーフック３１１と連結されたロープ３１３の動きを妨げない範囲で背側開口部１５０を閉めることができる。このため、背側開口部１５０からエアが漏洩することを抑制することが可能となる。
【００５５】
（第２実施形態）
図１３および図１４に基づき、本発明の第２実施形態に係る作業上着１００Ｂの構成を説明する。作業上着１００Ｂは、第１実施形態の作業上着１００Ａと比して内側領域１２０の構成が異なる。
図１３に示す通り作業上着１００Ｂの内側領域１２０には、内装部１２０Ａが構成されていない。したがって、図１４に示す通り作業上着１００Ｂは内部空間部１４０を有さない。
【００５６】
図１４に示す通り送風装置２００のエアは、作業上着１００Bと使用者の間に供給される。当該エアは、特に使用者の腰部に向けて送出される。すなわち、作業上着１００Ｂは腰部を主要に冷却するよう構成されている。腰部に当てられたエアは、外装部１１０Ａと使用者の間を経由して、作業上着１００Ｂの袖部開口や首部開口を経由して作業上着１００Ｂの外部へと排出される。これによって作業上着１００Ｂは、使用者を冷却することが可能となる。
【００５７】
（第３実施形態）
図１５〜図１７に基づき、本発明の第３実施形態に係る作業上着１００Ｃの構成を説明する。作業上着１００Ｃは、第１実施形態の作業上着１００Ａと比して背側開口部１５０および内部空間部１４０の構成が異なる。
図１５に示す通り作業上着１００Ｃの背側開口部１５０には、ファスナー１５１が構成されていない。したがって使用者は、ファスナー１５１の操作を行わずに背側開口部１５０を得ることができるため、作業性が向上する。
【００５８】
図１７に示す通り作業上着１００Ｃには、外装部背側開口部１１０Ｂと内装部背側開口部１２０Ｂとに亘り延在される延在連結部１３０が設けられる。この延在連結部１３０が本発明に係る「延在連結部」の一例である。すなわち図１７に示す通り、外装部背側開口部１１０Ｂと内装部背側開口部１２０Ｂとが延在連結部１３０により連通されることにより、内側領域１２０と外側領域１１０とを連通する背側開口部１５０が構成される。
【００５９】
図１７に示す通り、外装部１１０Ａと、内装部１２０Ａと、延在連結部１３０とにより囲まれた領域は内部空間部１４０を構成する。つまり延在連結部１３０は、内部空間部１４０を構成するためのマチ部である。この内部空間部１４０が本発明に係る「内部空間部」の一例である。図４に示される送風装置２００は、内部空間部１４０に向かいエアを送出する。内部空間部１４０内のエアは使用者の体温により温度が上昇するが、当該内部空間部１４０内のエアは送風装置２００から取り込まれた外気により冷却される。内部空間部１４０の容積は送風装置２００からのエアにより拡大される。この場合、延在連結部１３０によって、内部空間部１４０に所定の容積を確保することができる。すなわち、延在連結部１３０は容積確保部を構成する。これによって作業上着１００Ｃは、上述した第１実施形態の作業上着１００Ａと同等の機能を果たすことが可能となる。
なお、作業上着１００Ｃの背側開口部１５０にファスナー１５１を設けることも可能である。
【００６０】
（第４実施形態）
図１８に基づき、本発明の第４実施形態に係る作業上着１００Ｄの構成を説明する。作業上着１００Ｄは、第３実施形態の作業上着１００Ｃと比して背側開口部１５０および内部空間部１４０の構成が異なる。
図１８に示す通り作業上着１００Ｄは、外装部背側開口部１１０Ｂの縁部と内装部背側開口部１２０Ｂの縁部とが接着剤や縫製により接続されている。
当該構成によって作業上着１００Ｄの内部空間部１４０は、外装部１１０Ａと内装部１２０Ａとの間に構成される。
当該構成によって、作業上着１００Ｄは、作業上着１００Ｃと比して内部空間部１４０の膨張を抑制することが可能となる。
【００６１】
（第５実施形態）
図１９に基づき、本発明の第５実施形態に係る作業上着１００Ｅの構成を説明する。作業上着１００Ｅは、第１実施形態の作業上着１００Ａと比して送風装置２００の構成が異なる。
作業上着１００Ｅの送風装置２００は、送風ユニット２２０を収容した送風ハウジング２１０を複数有する。なお説明の便宜上、図示は省略するが、送風ハウジング２１０は、第１実施形態の作業上着１００Ａと同様に第１送風装置係合部１７１と第２送風装置係合部１７２により作業上着１００Ｄに取り付けられる。
作業上着１００Ｅの送風装置２００においては、一つの送風ハウジング２１０に単一または複数の送風ユニット２２０を配置することができる。これによって作業上着１００Ｅは、第１実施形態の作業上着１００Ａとは異なる外観や機能を有する設計を行うことが可能となる。
【００６２】
（第６実施形態）
図２０に基づき、本発明の第６実施形態に係る作業上着１００Ｆの構成を説明する。作業上着１００Ｆは、第１実施形態の作業上着１００Ａの送風装置２００に換えて発熱装置２５０を有する。この発熱装置２５０が本発明に係る「温度調整部」の一例である。
発熱装置２５０は、バッテリ（図示せず）からの電流により発熱する発熱体を有する。当該発熱体の一例として、カーボンファイバー２５１が挙げられる。これによって作業上着１００Ｆは、当該作業上着１００Ｆと使用者との間におけるエアの温度を調整することができる。
作業上着１００Ｆは、発熱装置２５０の発熱によって特に冬季において快適な作業環境を使用者に提供することができる。また作業上着１００Ｆは、背側開口部１５０や胸側開口部（図示せず）を有するため、安全帯３００を装着した使用者に対して第１実施形態の作業上着１００Ａと同等の機能を果たすことができる。
【００６３】
（第７実施形態）
第１実施形態に係る作業上着１００Ｇを図２１〜図２６に基づき説明する。作業上着１００Ｇの説明にあたり、使用者が刈払い機４２０を使用する場合を示す。この刈払い機４２０が本発明に係る「作業具」の一例である。図２１に示す通り、刈払い機４２０は、操作棹４２１と、駆動モータ４２３と、当該駆動モータ４２３により回転される回転刈刃４２５と、当該駆動モータ４２３に電流を供給するためのバッテリ４２４と、ハンドル４２２と、当該ハンドル４２２に設けられた操作部４２２ａと、フック受部４２１ａとを有する。この駆動モータ４２３が本発明に係る「原動機」の一例であり、回転刈刃４２５が本発明に係る「回転体」の一例である。
バッテリ４２４は、送風装置２００、電動工具、または発熱装置２５０に用いられるものを援用することができる。回転刈刃４２５の駆動源としては、駆動モータ４２３に換えてガソリンなどの液体燃料により駆動されるエンジンを用いることができる。
【００６４】
図２２は肩掛けベルト４００の構成を示す。肩掛けベルト４００は、肩掛けベルト本体４００ａと、当該肩掛けベルト本体４００ａに接続された刈払い機用フック４１０を有する。この肩掛けベルト４００が本発明に係る「装着体」または「作業具支持帯」の一例であり、刈払い機用フック４１０が本発明に係る「係合部」または「作業具用フック」の一例である。肩掛けベルト本体４００ａは環状に構成されており、使用者の肩に懸下される。刈払い機用フック４１０は刈払い機４２０のフック受部４２１ａに係合される。この結果、使用者は肩掛けベルト４００により刈払い機４２０を支持した状態にて刈払い作業を行う必要がある。なお、作業上着１００Ｇは、肩掛けベルト４００を装着した状態の使用者に着用される。
【００６５】
（作業上着）
図２３の正面斜視図、図２４の背面斜視図に基づき作業上着１００Ｇの外観構造を説明する。図２３に示す通り作業上着１００Ｇは、ファスナー１８１を有する。このファスナー１８１が本発明に係る「開閉部」の一例である。ファスナー１８１は、使用者の腹側に相当する作業上着１００Ｇの前身頃に設けられたポケット部１９０の隣に設けられる。なおファスナー１８１は、ポケット部１９０よりも使用者の脇側における前身頃に配置されるよう構成される。作業上着１００Ｇにおいてはファスナー１８１は２つ設けられるが、例えば使用者における左側に一つのみ配置することも可能である。
ファスナー１８１は、務歯１８２と、当該務歯１８２に係止された単一のスライダー１８３とを有する。この務歯１８２が本発明に係る「務歯」の一例であり、スライダー１８３が本発明に係る「スライダー」の一例である。
作業上着１００Ｇは、使用者が起立して前記衣服を着用した状態における上下方向に基づき上側と下側を定義する。ファスナー１８１は、上下方向に延在して配置され、スライダー１８３を下側から上側へ移動させた場合に肩掛けベルト用開口部１８０を形成する。この肩掛けベルト用開口部１８０が本発明に係る「開口部」の一例である。またファスナー１８１は、スライダー１８３を上側から下側へ移動させた場合に肩掛けベルト用開口部１８０が閉じられるよう構成される。
なお図２４に示す通り作業上着１００Ｇの背面側は、第１実施形態の作業上着１００Ａと同様に送風装置２００が着脱自在とされている。
また、図２５は作業上着１００Ｇの内側領域１２０を示す。作業上着１００Ｇは、第１実施形態の作業上着１００Ａと同様に内装部１２０Ａ、内部空間部１４０および送風開口部１４１などを有する。
【００６６】
（作業上着の動作）
作業上着１００Ｇの動作を図２６に基づき説明する。使用者は、肩掛けベルト４００を装着した状態にて作業上着１００Ｇを着用する。次に使用者は、スライダー１８３を下側から上側に移動させて肩掛けベルト用開口部１８０を形成し、内側領域１２０から刈払い機用フック４１０を外側領域１１０へと挿通する。その後、使用者はスライダー１８３を上側から下側に移動し、肩掛けベルト用開口部１８０のサイズを調整する。この際、使用者はスライダー１８３を目視しつつスライダー１８３の移動動作を確認できるため、当該サイズ調整を容易に行うことができる。
このような動作を行うことにより、使用者は刈払い機用フック４１０を刈払い機４２０のフック受部４２１ａに係止することができ、効率的な刈払い機４２０による作業を行うことができる。なお、使用者は肩掛けベルト４００の上から作業上着１００Ｇを着用しているため、肩掛けベルト４００による内部空間部１４０の容積の減少および作業上着１００Ｇと使用者の間における空間の容積の減少を抑制できる。これによって使用者は、送風装置２００によりエアが供給された状態で刈払い機４２０による作業を行うことができる。
【００６７】
（第８実施形態）
図２７に基づき、本発明の第８実施形態に係る作業上着１００Ｈの構成を説明する。作業上着１００Ｈは、第７実施形態の作業上着１００Ｇと比して内側領域１２０の構成が異なる。
図２７に示す通り作業上着１００Ｈの内側領域１２０には、内装部１２０Ａが構成されていない。したがって、作業上着１００Ｈは内部空間部１４０を有さない。
なお作業上着１００Ｈは、送風装置２００が二つ配置されるよう構成される。このため、作業上着１００Ｈは送風装置用開口部１１２が二つ設けられる。
【００６８】
作業上着１００Ｈにおいては第２実施形態の作業上着１００Ｂと同様に、送風装置２００のエアが作業上着１００Ｈと使用者の間に供給される。当該エアは、特に使用者の腰部に向けて送出される。腰部に当てられたエアは、外装部１１０Ａと使用者の間を経由して、作業上着１００Ｈの袖部開口や首部開口を経由して作業上着１００Ｈの外部へと排出される。これによって作業上着１００Ｈは、使用者を冷却することが可能となる。
【００６９】
使用者は、肩掛けベルト４００を装着した状態にて作業上着１００Ｈを着用する。この場合、作業上着１００Ｇ（第７実施形態）と同様に、肩掛けベルト用開口部１８０通じて刈払い機用フック４１０を内側領域１２０から外側領域１１０へと挿通する。これによって、使用者は刈払い機用フック４１０を刈払い機４２０のフック受部４２１ａに係止することができ、効率的な刈払い機４２０による作業を行うことができる。なお、使用者は肩掛けベルト４００の上から作業上着１００Ｈを着用しているため、肩掛けベルト４００による作業上着１００Ｈと使用者の間における空間の容積の減少を抑制できる。これによって使用者は、送風装置２００によりエアが供給された状態で刈払い機４２０による作業を行うことができる。
【００７０】
（本実施形態の各構成要素と本発明の各構成要素の対応）
上述した実施形態における各構成要素と、本発明における各構成要素の対応関係を次の通り示す。
作業上着１００Ａ、１００Ｂ、１００Ｃ、１００Ｄ、１００Ｅ、１００Ｆ、１００Ｇ、１００Ｈは本発明に係る「衣服」の一例である。安全帯３００は本発明に係る「装着体」または「安全帯」の一例である。ハンガーフック３１１は本発明に係る「係合部」または「ハンガーフック」の一例である。リング３１４は本発明に係る「リング部」の一例である。外側領域１１０は本発明に係る「外側領域」の一例である。外装部１１０Ａは本発明に係る「外装部」の一例である。内側領域１２０は本発明に係る「内側領域」の一例である。送風装置２００は本発明に係る「温度調整部」の一例である。ファスナー１５１は本発明に係る「開閉部」または「ファスナー」の一例である。務歯１５２は本発明に係る「務歯」の一例である。スライダー１５３は本発明に係る「スライダー」の一例である。第１スライダー要素１５３Ａは本発明に係る「第１スライダー要素」の一例である。第２スライダー要素１５３Ｂは本発明に係る「第２スライダー要素」の一例である。背側開口部１５０は本発明に係る「開口部」の一例である。胸側開口部１６３は本発明に係る「胸側開口部」の一例である。リング係合部１６４は本発明に係る「リング係合部」の一例である。延在連結部１３０は本発明に係る「延在連結部」の一例である。内部空間部１４０は本発明に係る「内部空間部」の一例である。送風ハウジング２１０は本発明に係る「本体部」の一例である。送風ユニット２２０は本発明に係る「送風ユニット」の一例である。駆動モータ２２１は本発明に係る「モータ」の一例である。ファン２２２は本発明に係る「ファン」の一例である。バッテリ２４０は本発明に係る「バッテリ」の一例である。発熱装置２５０は本発明に係る「温度調整部」の一例である。刈払い機４２０は本発明に係る「作業具」の一例である。駆動モータ４２３は本発明に係る「原動機」の一例である。回転刈刃４２５は本発明に係る「回転体」の一例である。肩掛けベルト４００は本発明に係る「装着体」または「作業具支持帯」の一例である。刈払い機用フック４１０は本発明に係る「係合部」または「作業具用フック」の一例である。ファスナー１８１は本発明に係る「開閉部」の一例である。務歯１８２は本発明に係る「務歯」の一例である。スライダー１８３は本発明に係る「スライダー」の一例である。肩掛けベルト用開口部１８０は本発明に係る「開口部」の一例である。
【００７１】
なお、本発明に係る実施形態は上述した第１実施形態〜第８実施形態の構成に限るものでは無い。例えば、第１実施形態〜第８実施形態にて説明した構成を適宜組み合わせることが可能である。より具体的には、第７実施形態の作業上着１００Ｇまたは第８実施形態の作業上着１００Ｈに、第１実施形態〜第６実施形態の背側開口部１５０や胸ポケット部１６０を構成することができる。また第７実施形態や第８実施形態において、送風装置２００に換えて発熱装置２５０を使用することができる。
また、作業上着における背側開口部１５０の位置は、安全帯３００のロープ３１３やハンガーフック３１１に応じて適宜を変更することができる。例えば、作業上着における背側開口部１５０の位置を使用者の前方側とすることや、側方側とすることができる。特につなぎ型の作業上着の場合は、腰部に開口部を設けることができる。
また、第１実施形態〜第８実施形態においては安全帯３００と作業上着とが別体になっている構成を説明したが、ロープ３１３と作業上着の一部が接続されている構成や、一体となっている構成であってもよい。
また、内装部１２０Aの内装部背側開口部１２０Ｂに、ファスナー１５１を設けることができる。この場合、内装部背側開口部１２０Ｂが背側開口部１５０を構成する。当該構成であっても、外装部背側開口部１１０Ｂにファスナー１５１を設けた場合と同等の機能を発現させることができる。すなわち、使用者が安全帯３００を装着して背側開口部１５０（内装部背側開口部１２０Ｂ）から外装部背側開口部１１０Ｂを通じてハンガーフック３１１を延出した場合には、使用者は、第１スライダー要素１５３Ａと第２スライダー要素１５３Ｂとを互いに近接する方向または離間する方向に操作することにより、背側開口部１５０の大きさを調整することができる。これによって、安全帯３００のロープ３１３の動きを妨げない範囲で背側開口部１５０の大きさを調整し、当該背側開口部１５０からのエアの漏洩を抑制することが可能となる。また背側開口部１５０を閉塞したい場合には、使用者は、第１スライダー要素１５３Ａと第２スライダー要素１５３Ｂとを接触するよう操作することができる。
【００７２】
上記発明の趣旨に鑑み、本発明に係る作業工具に関しては、下記の態様が構成可能である。なお、各態様は、単独で、あるいは互いに組み合わされて用いられるだけでなく、請求項に記載された発明と組み合わされて用いられる。
（態様１）
温度調整部は、衣服に対して着脱可能に構成される。
（態様２）
温度調整部は、発熱装置により構成される。
（態様３）
胸側開口部は、胸側に設けられた胸側ポケットに開口されるとともに、胸側ポケット部は、当該胸側ポケット部を開閉自在とするための胸側開閉部を有する。
【符号の説明】
【００７３】
１００Ａ、１００Ｂ、１００Ｃ、１００Ｄ、１００Ｅ、１００Ｆ、１００Ｇ、１００Ｈ  作業上着（衣服）
１１０  外側領域
１１０Ａ  外装部
１１０Ｂ  外装部背側開口部
１１０Ｃ  ボタン
１１１  袖部
１１２  送風装置用開口部
１２０  内側領域
１２０Ａ  内装部
１２０Ｂ  内装部背側開口部
１２０Ｃ  ボタン孔
１３０  延在連結部
１４０  内部空間部
１４１  送風開口部
１４１Ａ  背側送風開口部
１４２  ファスナー
１５０  背側開口部（開口部）
１５１  ファスナー
１５２  務歯
１５３  スライダー
１５３Ａ  第１スライダー要素
１５３Ｂ  第２スライダー要素
１６０  胸ポケット部
１６１  ファスナー
１６２  シート部
１６３  胸側開口部（胸側開口部）
１６４  リング係合部
１７１  第１送風装置係合部
１７２  第２送風装置係合部
１８０  肩掛けベルト用開口部
１８１  ファスナー
１８２  務歯
１８３  スライダー
１９０  ポケット部
２００  送風装置（温度調整部）
２００Ａ  吸入領域
２００Ｂ  排出領域
２１０  送風ハウジング（本体部）
２１１  吸気口部
２１２  排気口部
２２０  送風ユニット
２２１  駆動モータ（モータ）
２２１Ａ  駆動軸
２２２  ファン
２３０  バッテリ受部
２３１  クリップ部
２４０  バッテリ
２５０  発熱装置（温度調節部）
２５１  カーボンファイバー
３００  安全帯
３００ａ  ベルト本体
３１０  安全装置
３１１  ハンガーフック（係合部）
３１２  リール
３１３  ロープ
３１４  リング（リング部）
３１５  リング保持部
３１６  リング
４００  肩掛けベルト
４００ａ  肩掛けベルト本体
４１０  刈払い機用フック（係合部、作業具用フック）
４２０  刈払い機（作業具）
４２１  操作棹
４２１ａ  フック受部
４２２  ハンドル
４２２ａ  操作部
４２３  駆動モータ
４２４  バッテリ
４２５  回転刈刃（回転体）
【図１】
2020114958.tif 000003
【図２】
2020114958.tif 000004
【図３】
2020114958.tif 000005
【図４】
2020114958.tif 000006
【図５】
2020114958.tif 000007
【図６】
2020114958.tif 000008
【図７】
2020114958.tif 000009
【図８】
2020114958.tif 000010
【図９】
2020114958.tif 000011
【図１０】
2020114958.tif 000012
【図１１】
2020114958.tif 000013
【図１２】
2020114958.tif 000014
【図１３】
2020114958.tif 000015
【図１４】
2020114958.tif 000016
【図１５】
2020114958.tif 000017
【図１６】
2020114958.tif 000018
【図１７】
2020114958.tif 000019
【図１８】
2020114958.tif 000020
【図１９】
2020114958.tif 000021
【図２０】
2020114958.tif 000022
【図２１】
2020114958.tif 000023
【図２２】
2020114958.tif 000024
【図２３】
2020114958.tif 000025
【図２４】
2020114958.tif 000026
【図２５】
2020114958.tif 000027
【図２６】
2020114958.tif 000028
【図２７】
2020114958.tif 000029
【手続補正書】
【提出日】令和2年4月1日(2020.4.1)
【手続補正１】
【補正対象書類名】特許請求の範囲
【補正対象項目名】全文
【補正方法】変更
【補正の内容】
【特許請求の範囲】
【請求項１】
作業具を支持するための作業具支持帯を装着した使用者に着用される衣服であって、
前記衣服の外部から吸入したエアを前記衣服と使用者の間に供給する送風装置と、
前記送風装置が取り付けられる第１開口部と、
前記作業具支持帯の一部を前記衣服から露出可能に構成された第２開口部と、を有し、
前記第２開口部は、前記使用者が前記衣服を着用したときに前記使用者の腰部近傍に配置されるように設けられていることを特徴とする衣服。
【請求項２】
請求項１に記載された衣服であって、
外装部と、
外縁部の少なくとも一部が前記外装部に接続されるとともに、前記衣服が前記使用者に着用された場合、前記外装部に対して使用者側に配置される内装部と、
前記外装部と前記内装部の間に形成された内部空間部と、を有し、
前記送風装置は、前記外装部に取り外し可能に取り付けられ、前記内部空間部へ前記エアを供給するように構成されることを特徴とする衣服。
【請求項３】
請求項２に記載された衣服であって、
前記第１開口部は、前記外装部に設けられ、
前記第２開口部は、前記内装部に設けられた開口の縁部と前記外装部に設けられた開口の縁部とが縫い合わせられることで構成されていることを特徴とする衣服。
【請求項４】
請求項１〜３のいずれか１項に記載された衣服であって、
前記開口部は、前記開口部の少なくとも一部を開閉可能とするよう構成された開閉部を有することを特徴とする衣服。
【請求項５】
請求項１〜４のいずれか１項に記載された衣服であって、
前記衣服は、使用者が起立して前記衣服を着用した状態における上下方向に基づき上側と下側を定義し、
務歯と、当該務歯に係止されたスライダーとを有し、前記第２開口部の少なくとも一部を開閉可能に構成されたファスナーを更に備え、
前記ファスナーは、前記スライダーを前記下側から前記上側へ移動させた場合に前記開閉部を開状態とし、前記スライダーを前記上側から前記下側へ移動させた場合に前記開閉部を閉状態とするよう構成されることを特徴とする衣服。
【請求項６】
請求項１〜５のいずれか１項に記載された衣服であって、
前記第２開口部は、前記衣服の前身頃に設けられていることを特徴とする衣服。
【請求項７】
請求項１〜６のいずれか１項に記載された衣服であって、
前記第２開口部は、２つ設けられていることを特徴とする衣服。 
【請求項８】
請求項１〜７のいずれか１項に記載された衣服であって、
前記前身頃は、ポケットを有し、
前記第２開口部は、前記ポケットの隣に設けられていることを特徴とする衣服。
【請求項９】
請求項８に記載された衣服であって、
前記第２開口部は、前記ポケットよりも前記使用者の脇側に設けられていることを特徴とする衣服。 
【請求項１０】
請求項１〜９のいずれか１項に記載された衣服であって、
前記作業工具は、刈払機であって、
前記第２開口部は、前記刈払い機用の前記作業具支持帯の一部を前記衣服から露出可能に構成されることを特徴とする衣服。
【請求項１１】
請求項１０に記載された衣服であって、
前記作業具支持帯は、使用者の肩に懸下される肩掛けベルトと、前記刈払い機に係合可能に構成され、前記肩掛けベルトに接続されたフックとを有し、
前記第２開口部は、前記衣服が前記使用者に着用された状態で、前記フックが前記衣服の内側から外側へ通過可能に設けられていることを特徴とする衣服。
【請求項１２】
作業具を支持するための作業具支持帯を装着した使用者に着用される衣服であって、
発熱装置と、
前記作業具支持帯の一部を前記衣服から露出可能に構成された開口部と、を有し、
前記開口部は、前記使用者が前記衣服を着用した場合、前記使用者の腰部近傍に配置されるように設けられていることを特徴とする衣服。
【請求項１３】
請求項１２に記載された衣服であって、
前記開口部は、前記開口部の少なくとも一部を開閉可能とするよう構成された開閉部を有することを特徴とする衣服。 
【請求項１４】
請求項１〜１３のいずれか１項に記載された衣服であって、
前記送風装置に電力を供給するバッテリを更に有することを特徴とする衣服。
【手続補正２】
【補正対象書類名】明細書
【補正対象項目名】全文
【補正方法】変更
【補正の内容】
【発明の詳細な説明】
【技術分野】
【０００１】
本発明は、温度調節部を有する衣服に関する。
【背景技術】
【０００２】
使用者にエアを送風するための送風装置が、特開２０１６−３７９５９号公報に開示されている。当該送風装置は、送風機および導風パイプが設けられたベース部材を有している。ベース部材は、使用者に着用されるよう構成されている。当該構成によって送風装置は、送風機からのエアを導風パイプを介して使用者に送出して、使用者を冷却するよう構成されている。
【先行技術文献】
【特許文献】
【０００３】
【特許文献１】特開２０１６−３７９５９号公報
【発明の概要】
【発明が解決しようとする課題】
【０００４】
当該送風装置は、特に人体に的確にエアを送出できることから、建設現場や土木現場での作業者に対して効果的に機能していた。一方、安全帯を装着した作業者が当該送風装置を着用した場合には、安全帯に設けられたハンガーフックなどを操作する便宜上、さらなる工夫が要望されていた。
また作業者は、当該送風装置を使用する場合に上着を着用する。このような状態で刈払い機を使用する際、作業者は刈払い機を支持するための肩掛けベルトを上着の外部側から懸下する。この結果、作業者と上着の間の空間が減少してしまい、作業者は十分なエアの供給を受けられない場合がある。このため、作業者と上着との間の空間を効率的に活用するためのさらなる工夫が要望されていた。
【０００５】
本発明はこのような点に鑑みて創案されたものであり、温度調整部を有する衣服の使い勝手において、一層合理的な技術を提供することを目的とする。
【課題を解決するための手段】
【０００６】
本発明の一態様によれば、作業具を支持するための作業具支持帯を装着した使用者に着用される衣服が提供される。衣服は、衣服の外部から吸入したエアを衣服と使用者の間に供給する送風装置と、送風装置が取り付けられる第１開口部と、作業具支持帯の一部を前記衣服から露出可能に構成された第２開口部と、を有する。第２開口部は、使用者が衣服を着用したときに使用者の腰部近傍に配置されるように設けられている。
【発明の効果】
【０００７】
本発明によれば、温度調整部を有する衣服の使い勝手において一層合理的な技術を提供することが可能となる。
【図面の簡単な説明】
【０００８】
【図１】安全帯の概要を示す正面図である。
【図２】安全帯の概要を示す背面図である。
【図３】第１実施形態に係る衣服の概要を示す正面斜視図である。
【図４】第１実施形態に係る衣服の概要を示す背面斜視図である。
【図５】第１実施形態に係る衣服の動作を示す説明図である。
【図６】胸側開口部の構成を示す説明図である。
【図７】胸側開口部の動作を示す説明図である。
【図８】内側領域の構成を示す説明図である。
【図９】内部空間部の構成を示す説明図である。
【図１０】内部空間部の構成を示す説明図である。
【図１１】送風装置の構成を示す説明図である。
【図１２】送風装置の構成を示す断面図である。
【図１３】第２実施形態に係る衣服の概要を示す説明図である。
【図１４】第２実施形態に係る衣服の動作を示す説明図である。
【図１５】第３実施形態に係る衣服の概要を示す説明図である。
【図１６】第３実施形態に係る衣服の概要を示す説明図である。
【図１７】第３実施形態に係る衣服の動作を示す説明図である。
【図１８】第４実施例に係る衣服の動作を示す説明図である。
【図１９】第５実施形態に係る衣服の概要を示す説明図である。
【図２０】第６実施形態に係る衣服の概要を示す説明図である。
【図２１】刈払い機の構成を示す斜視図である。
【図２２】肩掛けベルトの構成を示す斜視図である。
【図２３】第７実施形態に係る衣服の概要を示す正面斜視図である。
【図２４】第７実施形態に係る衣服の概要を示す背面斜視図である。
【図２５】第７実施形態に係る衣服の内側領域を示す説明図である。
【図２６】第７実施形態に係る衣服の動作を示す説明図である。
【図２７】第８実施形態に係る衣服の概要を示す説明図である。
【発明を実施するための形態】
【０００９】
以下、本発明に係る衣服の第１実施形態〜第８実施形態につき、図１〜図２７に基づき説明する。図１〜図１２は第１実施形態に係る衣服（作業上着）１００Ａ、図１３〜図１４は第２実施形態に係る衣服（作業上着）１００Ｂ、図１５〜図１７は第３実施形態に係る衣服（作業上着）１００Ｃ、図１８は第４実施形態に係る衣服（作業上着）１００Ｄ、図１９は第５実施形態に係る衣服（作業上着）１００Ｅ、図２０は第６実施形態に係る衣服（作業上着）１００Ｆ、図２１〜図２６は第７実施形態に係る衣服（作業上着）１００Ｇ、図２７は第８実施形態に係る衣服（作業上着）１００Ｈのそれぞれ説明図である。なお第１実施形態〜第６実施形態は、本発明に係る装着体が安全帯３００により構成された例を示す。また第７実施形態および第８実施形態は、本発明に係る装着体が作業具支持具（肩掛けベルト４００）により構成された例を示す。
第１実施形態の作業上着１００Ａにつき説明した構成や部品につき、第２〜第８実施形態の作業上着１００Ｂ〜１００Ｈと同一または同様の構造や機能を有するものについては、同一の符号を用いてその説明を省略する場合がある。
【００１０】
（第１実施形態）
第１実施形態に係る作業上着１００Ａを図１〜図１２に基づき説明する。この作業上着１００Ａが本発明に係る「衣服」の一例である。作業上着１００Ａは、図１、図２に示される安全帯３００を装着した着用者が、当該安全帯３００の上から着用するよう構成される。
【００１１】
（安全帯）
図１、図２に示される安全帯３００は所謂フルハーネス型安全帯と称される構成を有する。安全帯３００は、使用者の上半身、下半身および腰回りに装着されるベルト本体３００ａを有する。図２に示す通り、ベルト本体３００ａの背面側には、ロープ３１３と、ロープ３１３を巻き取るリール３１２と、ロープ３１３の先端側に設けられるハンガーフック３１１が設けられる。当該ロープ３１３およびハンガーフック３１１により構成される部品は、ランヤードと称されることがある。当該構成によって、安全帯３００を装着した使用者がハンガーフック３１１を作業現場の所定位置に係合させることにより、使用者が高所から滑落した際の事故を抑制することができる。
図１に示す通りベルト本体３００ａにおける使用者の胸位置には、リング３１４がリング保持部３１５を介して設けられる。例えば使用者が、ハンガーフック３１１を作業現場の所定位置に係合させる必要の無い場合がある。より具体的には、使用者が高所ではない作業現場において移動する場合や、地上での作業を行う場合や、安全な場所での休憩を行う場合などが挙げられる。このような場合には、使用者はハンガーフック３１１を当該リング３１４に係合することができる。これによって、使用者はハンガーフック３１１を把持する必要が無くなるため、移動などの容易化を図ることができる。
この安全帯３００が本発明に係る「装着体」または「安全帯」の一例であり、ハンガーフック３１１が本発明に係る「係合部」または「ハンガーフック」の一例であり、リング３１４が本発明に係る「リング部」の一例である。
【００１２】
（作業上着）
図３の正面斜視図、図４の背面斜視図に基づき作業上着１００Ａの外観構造を説明する。図３および図４に示す通り、作業上着１００Ａの外側領域１１０は外装部１１０Ａにより構成される。この外側領域１１０が本発明に係る「外側領域」の一例であり、外装部１１０Ａが本発明に係る「外装部」の一例である。作業上着１００Ａは、使用者の腕を挿通するための袖部１１１と、胸ポケット部１６０を有する。当該胸ポケット部１６０の開口部は、ファスナー１６１により開閉可能に構成される。
なお作業上着１００Ａは、作業上着１００Ａが使用者に着用された場合に使用者側に向けられる内側領域１２０（図８参照）を有する。作業上着１００Ａにおいて、内側領域１２０は外側領域１１０の反対側に位置する。この内側領域１２０が本発明に係る「内側領域」の一例である。外側領域１１０は作業上着１００Ａの外面側を構成し、内側領域１２０は作業上着１００Ａの内面側を構成する。
図４に示す通り作業上着１００Ａの背面側には、送風装置２００が取り付けられる。この送風装置２００が本発明に係る「温度調整部」の一例である。当該送風装置２００を取り付けるために、作業上着１００Ａの背面側には送風装置用開口部１１２（図１１参照）が設けられる。
【００１３】
（背側開口部）
図８には、作業上着１００Ａの内側領域１２０が示される。内側領域１２０の所定領域には、内装部１２０Ａが設けられる。図８に示す通り、外装部１１０Ａには外装部背側開口部１１０Ｂが設けられる。内装部１２０Ａには内装部背側開口部１２０Ｂが設けられる。当該外装部背側開口部１１０Ｂと内装部背側開口部１２０Ｂが重なる領域は、背側開口部１５０を構成する。
図４および図５に示す通り、作業上着１００Ａの外装部背側開口部１１０Ｂにはファスナー１５１が設けられる。ファスナー１５１は、務歯１５２と、当該務歯１５２に係止されたスライダー１５３とを有する。スライダー１５３は、第１スライダー要素１５３Ａと、第２スライダー要素１５３Ｂとを有する。このファスナー１５１が本発明に係る「開閉部」または「ファスナー」の一例であり、務歯１５２が本発明に係る「務歯」の一例であり、スライダー１５３が本発明に係る「スライダー」の一例であり、第１スライダー要素１５３Ａが本発明に係る「第１スライダー要素」の一例であり、第２スライダー要素１５３Ｂが本発明に係る「第２スライダー要素」の一例である。
スライダー１５３により外装部背側開口部１１０Ｂを閉塞した場合には、背側開口部１５０は構成されない。一方、第１スライダー要素１５３Ａと第２スライダー要素１５３Ｂを互いに離間する方向に操作することにより、作業上着１００Ａの背面側に背側開口部１５０を設けることができる。背側開口部１５０は、内側領域１２０と外側領域１１０とを連通する（図９参照）。この背側開口部１５０が本発明に係る「開口部」の一例である。背側開口部１５０は、安全帯３００のリール３１２（図２参照）に相当する位置に設けられる。当該構成によって、背側開口部１５０を通じてハンガーフック３１１を使用者の外側に導出することができる。
【００１４】
スライダー１５３は第１スライダー要素１５３Ａと第２スライダー要素１５３Ｂとを有するため、使用者は、第１スライダー要素１５３Ａと第２スライダー要素１５３Ｂをそれぞれ独立的に操作することによって、務歯１５２上の任意の位置に所望の大きさを有する背側開口部１５０を設けることが可能となる。
例えば使用者は、ハンガーフック３１１を挿通させるための大きさを有する背側開口部１５０を形成するよう第１スライダー要素１５３Ａと第２スライダー要素１５３Ｂを操作し、ハンガーフック３１１を作業上着１００Ａの外部に導出した後に、ロープ３１３を挿通させるための大きさを有する背側開口部１５０を形成するよう第１スライダー要素１５３Ａと第２スライダー要素１５３Ｂを操作することができる。
【００１５】
（胸側開口部）
図３に示される胸ポケット部１６０の構成につき、図６および図７に基づき説明する。図６および図７は、胸ポケット部１６０に設けられたファスナー１６１を開放した状態を示す。なお図６および図７において、ファスナー１６１は説明の便宜上省略される。
図６に示す通り胸ポケット部１６０は、外装部１１０Ａの所定領域と、当該外装部１１０Ａの所定領域の内側に設けられたシート部１６２とにより構成される。シート部１６２には胸側開口部１６３が設けられる。この胸側開口部１６３が本発明に係る「胸側開口部」の一例である。図６に示す通りシート部１６２には、リング係合部１６４が設けられる。このリング係合部１６４が本発明に係る「リング係合部」の一例である。リング係合部１６４は帯状体により構成され、胸側開口部１６３の一部を覆うように配置される。リング係合部１６４の一端部（図６における下側端部）はシート部１６２に接続されている。リング係合部１６４の他端部（図６における上側端部）は自由端部とされている。自由端部と、当該自由端部が当接されるシート部１６２の所定領域にはスナップが配置される。これによってリング係合部１６４の自由端部は、シート部１６２に対して着脱自在とされる。
【００１６】
図７に示す通り胸側開口部１６３によって、安全帯３００のリング３１４（図２参照）を外側へ露出させることができる。すなわち、まずリング係合部１６４におけるスナップの係合状態を解除し、胸側開口部１６３からリング３１４を露出させる。その後、リング３１４の内側にリング係合部１６４を挿通させ、リング係合部１６４の自由端部とシート部１６２とのスナップを係合させる。これによってリング３１４が作業上着１００Ａの外側に露出される。さらにリング３１４が、リング係合部１６４によって胸側開口部１６３を経由して作業上着１００Ａの内側へと移動することを防止することができる。
この結果、使用者は作業上着１００Ａを着用し、送風装置２００を稼働させている状態であっても、リング３１４を胸側開口部１６３から露出させるとともに、安全帯３００のハンガーフック３１１をリング３１４に係止することが可能となる。
【００１７】
また図３に示す通り、作業上着１００Ａの下端領域にはリング３１６が設けられる。より具体的には、リング３１６は、作業上着１００Ａの下端に設けられた伸縮部を有する領域に接続される。当該伸縮部にはゴムなどの弾性部材が配置されている。
使用者は、リング３１４が構成されていない安全帯３００を使用する場合がある。このような構成の安全帯３００を使用者が装着した場合であっても、使用者はリング３１６に安全帯３００のハンガーフック３１１を係止することが可能となる。
【００１８】
（内部空間部）
図８に示す通り、内装部１２０Ａの外縁部は、使用者の脇および首に相当する領域、および送風装置２００に対応する一部の領域を除いて外装部１１０Ａと接続される。内装部１２０Ａと外装部１１０Ａの非接続領域には、送風開口部１４１が構成される。使用者の脇に相当する領域の送風開口部１４１にはファスナー１４２が設けられる。
なお図９に示す通り、内装部背側開口部１２０Ｂと外装部背側開口部１１０Ｂとの間には背側送風開口部１４１Ａが構成される。当該背側送風開口部１４１Ａは、内装部背側開口部１２０Ｂの縁部と外装部背側開口部１１０Ｂの縁部の少なくとも一部同士を接続する接続部を設けることにより開口のサイズを調整可能に構成される。当該接続部は、作業上着１００Ａにおいては、内装部背側開口部１２０Ｂの開口縁周辺に設けられたボタン孔１２０Ｃと、当該ボタン孔１２０Ｃと対応する外装部１１０Ａの領域に設けられたボタン１１０Ｃにより構成される。なお接続部は、ファスナー、面ファスナーまたはスナップなどにより構成してもよい。
【００１９】
図８〜図１０に示す通り、外装部１１０Ａと、内装部１２０Ａにより囲まれた領域は内部空間部１４０を構成する。この内部空間部１４０が本発明に係る「内部空間部」の一例である。なお説明の便宜上、図９および図１０においてはファスナー１５１の記載を省略する。図４に示される送風装置２００は、内部空間部１４０に向かいエアを送出する。内部空間部１４０内のエアは使用者の体温により温度が上昇するが、当該内部空間部１４０内のエアは送風装置２００から取り込まれた外気により冷却される。内部空間部１４０の容積は送風装置２００からのエアにより拡大される。
【００２０】
図９に示す通り内部空間部１４０へ貯留されたエアは、送風開口部１４１および背側送風開口部１４１Ａから送出される。すなわち、送風装置２００からのエアは作業上着１００Ａと使用者の間に供給される。図８に示す通り、送風開口部１４１は使用者の首、脇、腰に相当する位置に設けられている。すなわち、送風開口部１４１は使用者が暑さを感じやすい部位に設けられているため、送風開口部１４１からのエアによって使用者を効率的に冷却することができる。なお、ファスナー１４２を開閉することにより、使用者の脇に対する冷却効果を調整することができる。
なお図９に示す通り使用者は、背側開口部１５０の大きさをロープ３１３が挿通可能な範囲内にて、第１スライダー要素１５３Ａと第２スライダー要素１５３Ｂにより調節可能である。これによって、背側開口部１５０からのエアの漏洩を抑制することができる。
【００２１】
また使用者が背側送風開口部１４１Ａから排出されるエアの量を調整する場合は、図１０に示す通りボタン１１０Ｃとボタン孔１２０Ｃとを係止することができる。当該構成によって、使用者は背側送風開口部１４１Ａおよび送風開口部１４１から排出されるエアの量を任意に調整することが可能となる。
【００２２】
なお外装部１１０Ａ、シート部１６２は木綿などの天然繊維や、ナイロンなどの合成樹脂繊維による布帛により構成することができる。また内装部１２０Ａは、当該布帛や合成樹脂によるフィルム体により構成することができる。外装部１１０Ａとシート部１６２の接続や、外装部１１０Ａと内装部１２０Ａとの接続は、縫製や接着剤による接着固定などにより行うことができる。
【００２３】
（送風装置）
図４、図１１および図１２に基づき送風装置２００の構造を説明する。図１１に示す通り、送風装置２００は、送風ユニット２２０を収容した送風ハウジング２１０を有する。なお、第１実施形態に係る送風装置２００においては、２つの送風ユニット２２０が送風ハウジング２１０に収容される。一方、さらに多数の送風ユニット２２０や、単数の送風ユニット２２０を送風ハウジング２１０に収容させることもできる。この送風ハウジング２１０が本発明に係る「本体部」の一例であり、送風ユニット２２０が本発明に係る「送風ユニット」の一例である。
図１２に示す通り送風ユニット２２０は、駆動モータ２２１と、当該駆動モータ２２１の駆動軸２２１Ａに取り付けられたファン２２２とを有する。この駆動モータ２２１が本発明に係る「モータ」の一例であり、ファン２２２が本発明に係る「ファン」の一例である。
【００２４】
送風ハウジング２１０は、駆動モータ２２１の駆動軸２２１Ａの延在方向と交差する方向（交差方向）に設けられた吸気口部２１１と、駆動軸２２１Ａの延在方向に設けられた排気口部２１２とを有する。当該構成によって、使用者が壁にもたれて送風ハウジング２１０が当該壁に当接した場合などにおいても、送風ハウジング２１０は効率的に吸気口部２１１からエアを取り込み、内部空間部１４０へ向けて当該エアを送出することができる。
【００２５】
図１２に示す通り送風ハウジング２１０は、排気口部２１２が内部空間部１４０に配置されるとともに吸気口部２１１が作業上着１００Ａの外部に配置される状態にて、作業上着１００Ａに装着される。図４に示す通り送風ハウジング２１０は、第１送風装置係合部１７１と、第２送風装置係合部１７２とにより作業上着１００Ａに対して着脱可能に構成される。第１送風装置係合部１７１はファスナーにより構成される。当該ファスナーにおいて、一方の務歯は送風ハウジング２１０の周囲に設けられ、他方の務歯は送風装置用開口部１１２（図１２参照）に設けられる。第２送風装置係合部１７２は、送風ハウジング２１０から延在される短冊片と、作業上着１００Ａの所定領域を着脱可能に係合するスナップにより構成される。第１送風装置係合部１７１と第２送風装置係合部１７２により、送風装置２００と作業上着１００Ａとの係合状態を確実に保つことができる。
【００２６】
図４には、駆動モータ２２１を駆動するためのバッテリ２４０が示される。バッテリ２４０は、バッテリ受部２３０に対して着脱可能に構成される。バッテリ受部２３０は、使用者のベルトに取り付けられるクリップ部２３１を有する。なお説明の便宜上、図示を省略するが、バッテリ受部２３０と送風ハウジング２１０とに亘り、駆動モータ２２１に電流や駆動信号などを伝達するための電装ケーブルが設けられる。このバッテリ２４０が本発明に係る「バッテリ」の一例である。
なおバッテリ２４０は、電動工具や暖房機能を有する作業上着などに使用するものを援用することができる。これによって使用者は作業上着１００Ａの経済的な活用を図ることができる。
【００２７】
（作業上着の動作）
上述した構成により送風装置２００からのエアが、内部空間部１４０を介して使用者へ送出されるため、使用者は当該エアにより冷却されることとなる。すなわち、作業上着１００Ａは使用者の作業環境の向上を図ることができる。
特に、使用者が安全帯３００を装着している状態であっても、図４に示す通り作業上着１００Ａの背側開口部１５０からハンガーフック３１１を容易に取り出し、安全に作業を行うことができる。また図７に示す通り、胸側開口部１６３からリング３１４を露出させるとともに、当該リング３１４にリング係合部１６４を係合することができる。これによって。例えば使用者が、ハンガーフック３１１を作業現場の所定位置に係合させる必要の無い場合がある。より具体的には、使用者が高所ではない作業現場において移動する場合や、地上での作業を行う場合や、安全な場所での休憩を行う場合などが挙げられる。このような場合には、使用者はハンガーフック３１１を当該リング３１４に係合することができる。これによって、使用者はハンガーフック３１１を把持する必要が無くなるため、移動などの容易化を図ることができる。なお使用者は、ハンガーフック３１１をリング３１６に係止することもできる。
【００２８】
なお作業上着１００Ａは、使用者が安全帯３００を着用していない場合にあっては、背側開口部１５０をファスナー１５１により閉塞することができる。これによって、作業上着１００Ａの外観の向上を図ることが可能となる。さらに、使用者が安全帯３００を装着して背側開口部１５０からハンガーフック３１１を取り出した場合には、ハンガーフック３１１と連結されたロープ３１３の動きを妨げない範囲で背側開口部１５０を閉めることができる。このため、背側開口部１５０からエアが漏洩することを抑制することが可能となる。
【００２９】
（第２実施形態）
図１３および図１４に基づき、本発明の第２実施形態に係る作業上着１００Ｂの構成を説明する。作業上着１００Ｂは、第１実施形態の作業上着１００Ａと比して内側領域１２０の構成が異なる。
図１３に示す通り作業上着１００Ｂの内側領域１２０には、内装部１２０Ａが構成されていない。したがって、図１４に示す通り作業上着１００Ｂは内部空間部１４０を有さない。
【００３０】
図１４に示す通り送風装置２００のエアは、作業上着１００Bと使用者の間に供給される。当該エアは、特に使用者の腰部に向けて送出される。すなわち、作業上着１００Ｂは腰部を主要に冷却するよう構成されている。腰部に当てられたエアは、外装部１１０Ａと使用者の間を経由して、作業上着１００Ｂの袖部開口や首部開口を経由して作業上着１００Ｂの外部へと排出される。これによって作業上着１００Ｂは、使用者を冷却することが可能となる。
【００３１】
（第３実施形態）
図１５〜図１７に基づき、本発明の第３実施形態に係る作業上着１００Ｃの構成を説明する。作業上着１００Ｃは、第１実施形態の作業上着１００Ａと比して背側開口部１５０および内部空間部１４０の構成が異なる。
図１５に示す通り作業上着１００Ｃの背側開口部１５０には、ファスナー１５１が構成されていない。したがって使用者は、ファスナー１５１の操作を行わずに背側開口部１５０を得ることができるため、作業性が向上する。
【００３２】
図１７に示す通り作業上着１００Ｃには、外装部背側開口部１１０Ｂと内装部背側開口部１２０Ｂとに亘り延在される延在連結部１３０が設けられる。この延在連結部１３０が本発明に係る「延在連結部」の一例である。すなわち図１７に示す通り、外装部背側開口部１１０Ｂと内装部背側開口部１２０Ｂとが延在連結部１３０により連通されることにより、内側領域１２０と外側領域１１０とを連通する背側開口部１５０が構成される。
【００３３】
図１７に示す通り、外装部１１０Ａと、内装部１２０Ａと、延在連結部１３０とにより囲まれた領域は内部空間部１４０を構成する。つまり延在連結部１３０は、内部空間部１４０を構成するためのマチ部である。この内部空間部１４０が本発明に係る「内部空間部」の一例である。図４に示される送風装置２００は、内部空間部１４０に向かいエアを送出する。内部空間部１４０内のエアは使用者の体温により温度が上昇するが、当該内部空間部１４０内のエアは送風装置２００から取り込まれた外気により冷却される。内部空間部１４０の容積は送風装置２００からのエアにより拡大される。この場合、延在連結部１３０によって、内部空間部１４０に所定の容積を確保することができる。すなわち、延在連結部１３０は容積確保部を構成する。これによって作業上着１００Ｃは、上述した第１実施形態の作業上着１００Ａと同等の機能を果たすことが可能となる。
なお、作業上着１００Ｃの背側開口部１５０にファスナー１５１を設けることも可能である。
【００３４】
（第４実施形態）
図１８に基づき、本発明の第４実施形態に係る作業上着１００Ｄの構成を説明する。作業上着１００Ｄは、第３実施形態の作業上着１００Ｃと比して背側開口部１５０および内部空間部１４０の構成が異なる。
図１８に示す通り作業上着１００Ｄは、外装部背側開口部１１０Ｂの縁部と内装部背側開口部１２０Ｂの縁部とが接着剤や縫製により接続されている。
当該構成によって作業上着１００Ｄの内部空間部１４０は、外装部１１０Ａと内装部１２０Ａとの間に構成される。
当該構成によって、作業上着１００Ｄは、作業上着１００Ｃと比して内部空間部１４０の膨張を抑制することが可能となる。
【００３５】
（第５実施形態）
図１９に基づき、本発明の第５実施形態に係る作業上着１００Ｅの構成を説明する。作業上着１００Ｅは、第１実施形態の作業上着１００Ａと比して送風装置２００の構成が異なる。
作業上着１００Ｅの送風装置２００は、送風ユニット２２０を収容した送風ハウジング２１０を複数有する。なお説明の便宜上、図示は省略するが、送風ハウジング２１０は、第１実施形態の作業上着１００Ａと同様に第１送風装置係合部１７１と第２送風装置係合部１７２により作業上着１００Ｄに取り付けられる。
作業上着１００Ｅの送風装置２００においては、一つの送風ハウジング２１０に単一または複数の送風ユニット２２０を配置することができる。これによって作業上着１００Ｅは、第１実施形態の作業上着１００Ａとは異なる外観や機能を有する設計を行うことが可能となる。
【００３６】
（第６実施形態）
図２０に基づき、本発明の第６実施形態に係る作業上着１００Ｆの構成を説明する。作業上着１００Ｆは、第１実施形態の作業上着１００Ａの送風装置２００に換えて発熱装置２５０を有する。この発熱装置２５０が本発明に係る「温度調整部」の一例である。
発熱装置２５０は、バッテリ（図示せず）からの電流により発熱する発熱体を有する。当該発熱体の一例として、カーボンファイバー２５１が挙げられる。これによって作業上着１００Ｆは、当該作業上着１００Ｆと使用者との間におけるエアの温度を調整することができる。
作業上着１００Ｆは、発熱装置２５０の発熱によって特に冬季において快適な作業環境を使用者に提供することができる。また作業上着１００Ｆは、背側開口部１５０や胸側開口部（図示せず）を有するため、安全帯３００を装着した使用者に対して第１実施形態の作業上着１００Ａと同等の機能を果たすことができる。
【００３７】
（第７実施形態）
第１実施形態に係る作業上着１００Ｇを図２１〜図２６に基づき説明する。作業上着１００Ｇの説明にあたり、使用者が刈払い機４２０を使用する場合を示す。この刈払い機４２０が本発明に係る「作業具」の一例である。図２１に示す通り、刈払い機４２０は、操作棹４２１と、駆動モータ４２３と、当該駆動モータ４２３により回転される回転刈刃４２５と、当該駆動モータ４２３に電流を供給するためのバッテリ４２４と、ハンドル４２２と、当該ハンドル４２２に設けられた操作部４２２ａと、フック受部４２１ａとを有する。この駆動モータ４２３が本発明に係る「原動機」の一例であり、回転刈刃４２５が本発明に係る「回転体」の一例である。
バッテリ４２４は、送風装置２００、電動工具、または発熱装置２５０に用いられるものを援用することができる。回転刈刃４２５の駆動源としては、駆動モータ４２３に換えてガソリンなどの液体燃料により駆動されるエンジンを用いることができる。
【００３８】
図２２は肩掛けベルト４００の構成を示す。肩掛けベルト４００は、肩掛けベルト本体４００ａと、当該肩掛けベルト本体４００ａに接続された刈払い機用フック４１０を有する。この肩掛けベルト４００が本発明に係る「装着体」または「作業具支持帯」の一例であり、刈払い機用フック４１０が本発明に係る「係合部」または「作業具用フック」の一例である。肩掛けベルト本体４００ａは環状に構成されており、使用者の肩に懸下される。刈払い機用フック４１０は刈払い機４２０のフック受部４２１ａに係合される。この結果、使用者は肩掛けベルト４００により刈払い機４２０を支持した状態にて刈払い作業を行う必要がある。なお、作業上着１００Ｇは、肩掛けベルト４００を装着した状態の使用者に着用される。
【００３９】
（作業上着）
図２３の正面斜視図、図２４の背面斜視図に基づき作業上着１００Ｇの外観構造を説明する。図２３に示す通り作業上着１００Ｇは、ファスナー１８１を有する。このファスナー１８１が本発明に係る「開閉部」の一例である。ファスナー１８１は、使用者の腹側に相当する作業上着１００Ｇの前身頃に設けられたポケット部１９０の隣に設けられる。なおファスナー１８１は、ポケット部１９０よりも使用者の脇側における前身頃に配置されるよう構成される。作業上着１００Ｇにおいてはファスナー１８１は２つ設けられるが、例えば使用者における左側に一つのみ配置することも可能である。
ファスナー１８１は、務歯１８２と、当該務歯１８２に係止された単一のスライダー１８３とを有する。この務歯１８２が本発明に係る「務歯」の一例であり、スライダー１８３が本発明に係る「スライダー」の一例である。
作業上着１００Ｇは、使用者が起立して前記衣服を着用した状態における上下方向に基づき上側と下側を定義する。ファスナー１８１は、上下方向に延在して配置され、スライダー１８３を下側から上側へ移動させた場合に肩掛けベルト用開口部１８０を形成する。この肩掛けベルト用開口部１８０が本発明に係る「開口部」の一例である。またファスナー１８１は、スライダー１８３を上側から下側へ移動させた場合に肩掛けベルト用開口部１８０が閉じられるよう構成される。
なお図２４に示す通り作業上着１００Ｇの背面側は、第１実施形態の作業上着１００Ａと同様に送風装置２００が着脱自在とされている。
また、図２５は作業上着１００Ｇの内側領域１２０を示す。作業上着１００Ｇは、第１実施形態の作業上着１００Ａと同様に内装部１２０Ａ、内部空間部１４０および送風開口部１４１などを有する。
【００４０】
（作業上着の動作）
作業上着１００Ｇの動作を図２６に基づき説明する。使用者は、肩掛けベルト４００を装着した状態にて作業上着１００Ｇを着用する。次に使用者は、スライダー１８３を下側から上側に移動させて肩掛けベルト用開口部１８０を形成し、内側領域１２０から刈払い機用フック４１０を外側領域１１０へと挿通する。その後、使用者はスライダー１８３を上側から下側に移動し、肩掛けベルト用開口部１８０のサイズを調整する。この際、使用者はスライダー１８３を目視しつつスライダー１８３の移動動作を確認できるため、当該サイズ調整を容易に行うことができる。
このような動作を行うことにより、使用者は刈払い機用フック４１０を刈払い機４２０のフック受部４２１ａに係止することができ、効率的な刈払い機４２０による作業を行うことができる。なお、使用者は肩掛けベルト４００の上から作業上着１００Ｇを着用しているため、肩掛けベルト４００による内部空間部１４０の容積の減少および作業上着１００Ｇと使用者の間における空間の容積の減少を抑制できる。これによって使用者は、送風装置２００によりエアが供給された状態で刈払い機４２０による作業を行うことができる。
【００４１】
（第８実施形態）
図２７に基づき、本発明の第８実施形態に係る作業上着１００Ｈの構成を説明する。作業上着１００Ｈは、第７実施形態の作業上着１００Ｇと比して内側領域１２０の構成が異なる。
図２７に示す通り作業上着１００Ｈの内側領域１２０には、内装部１２０Ａが構成されていない。したがって、作業上着１００Ｈは内部空間部１４０を有さない。
なお作業上着１００Ｈは、送風装置２００が二つ配置されるよう構成される。このため、作業上着１００Ｈは送風装置用開口部１１２が二つ設けられる。
【００４２】
作業上着１００Ｈにおいては第２実施形態の作業上着１００Ｂと同様に、送風装置２００のエアが作業上着１００Ｈと使用者の間に供給される。当該エアは、特に使用者の腰部に向けて送出される。腰部に当てられたエアは、外装部１１０Ａと使用者の間を経由して、作業上着１００Ｈの袖部開口や首部開口を経由して作業上着１００Ｈの外部へと排出される。これによって作業上着１００Ｈは、使用者を冷却することが可能となる。
【００４３】
使用者は、肩掛けベルト４００を装着した状態にて作業上着１００Ｈを着用する。この場合、作業上着１００Ｇ（第７実施形態）と同様に、肩掛けベルト用開口部１８０通じて刈払い機用フック４１０を内側領域１２０から外側領域１１０へと挿通する。これによって、使用者は刈払い機用フック４１０を刈払い機４２０のフック受部４２１ａに係止することができ、効率的な刈払い機４２０による作業を行うことができる。なお、使用者は肩掛けベルト４００の上から作業上着１００Ｈを着用しているため、肩掛けベルト４００による作業上着１００Ｈと使用者の間における空間の容積の減少を抑制できる。これによって使用者は、送風装置２００によりエアが供給された状態で刈払い機４２０による作業を行うことができる。
【００４４】
（本実施形態の各構成要素と本発明の各構成要素の対応）
上述した実施形態における各構成要素と、本発明における各構成要素の対応関係を次の通り示す。
作業上着１００Ａ、１００Ｂ、１００Ｃ、１００Ｄ、１００Ｅ、１００Ｆ、１００Ｇ、１００Ｈは本発明に係る「衣服」の一例である。安全帯３００は本発明に係る「装着体」または「安全帯」の一例である。ハンガーフック３１１は本発明に係る「係合部」または「ハンガーフック」の一例である。リング３１４は本発明に係る「リング部」の一例である。外側領域１１０は本発明に係る「外側領域」の一例である。外装部１１０Ａは本発明に係る「外装部」の一例である。内側領域１２０は本発明に係る「内側領域」の一例である。送風装置２００は本発明に係る「温度調整部」の一例である。ファスナー１５１は本発明に係る「開閉部」または「ファスナー」の一例である。務歯１５２は本発明に係る「務歯」の一例である。スライダー１５３は本発明に係る「スライダー」の一例である。第１スライダー要素１５３Ａは本発明に係る「第１スライダー要素」の一例である。第２スライダー要素１５３Ｂは本発明に係る「第２スライダー要素」の一例である。背側開口部１５０は本発明に係る「開口部」の一例である。胸側開口部１６３は本発明に係る「胸側開口部」の一例である。リング係合部１６４は本発明に係る「リング係合部」の一例である。延在連結部１３０は本発明に係る「延在連結部」の一例である。内部空間部１４０は本発明に係る「内部空間部」の一例である。送風ハウジング２１０は本発明に係る「本体部」の一例である。送風ユニット２２０は本発明に係る「送風ユニット」の一例である。駆動モータ２２１は本発明に係る「モータ」の一例である。ファン２２２は本発明に係る「ファン」の一例である。バッテリ２４０は本発明に係る「バッテリ」の一例である。発熱装置２５０は本発明に係る「温度調整部」の一例である。刈払い機４２０は本発明に係る「作業具」の一例である。駆動モータ４２３は本発明に係る「原動機」の一例である。回転刈刃４２５は本発明に係る「回転体」の一例である。肩掛けベルト４００は本発明に係る「装着体」または「作業具支持帯」の一例である。刈払い機用フック４１０は本発明に係る「係合部」または「作業具用フック」の一例である。ファスナー１８１は本発明に係る「開閉部」の一例である。務歯１８２は本発明に係る「務歯」の一例である。スライダー１８３は本発明に係る「スライダー」の一例である。肩掛けベルト用開口部１８０は本発明に係る「開口部」の一例である。
【００４５】
なお、本発明に係る実施形態は上述した第１実施形態〜第８実施形態の構成に限るものでは無い。例えば、第１実施形態〜第８実施形態にて説明した構成を適宜組み合わせることが可能である。より具体的には、第７実施形態の作業上着１００Ｇまたは第８実施形態の作業上着１００Ｈに、第１実施形態〜第６実施形態の背側開口部１５０や胸ポケット部１６０を構成することができる。また第７実施形態や第８実施形態において、送風装置２００に換えて発熱装置２５０を使用することができる。
また、作業上着における背側開口部１５０の位置は、安全帯３００のロープ３１３やハンガーフック３１１に応じて適宜を変更することができる。例えば、作業上着における背側開口部１５０の位置を使用者の前方側とすることや、側方側とすることができる。特につなぎ型の作業上着の場合は、腰部に開口部を設けることができる。
また、第１実施形態〜第８実施形態においては安全帯３００と作業上着とが別体になっている構成を説明したが、ロープ３１３と作業上着の一部が接続されている構成や、一体となっている構成であってもよい。
また、内装部１２０Aの内装部背側開口部１２０Ｂに、ファスナー１５１を設けることができる。この場合、内装部背側開口部１２０Ｂが背側開口部１５０を構成する。当該構成であっても、外装部背側開口部１１０Ｂにファスナー１５１を設けた場合と同等の機能を発現させることができる。すなわち、使用者が安全帯３００を装着して背側開口部１５０（内装部背側開口部１２０Ｂ）から外装部背側開口部１１０Ｂを通じてハンガーフック３１１を延出した場合には、使用者は、第１スライダー要素１５３Ａと第２スライダー要素１５３Ｂとを互いに近接する方向または離間する方向に操作することにより、背側開口部１５０の大きさを調整することができる。これによって、安全帯３００のロープ３１３の動きを妨げない範囲で背側開口部１５０の大きさを調整し、当該背側開口部１５０からのエアの漏洩を抑制することが可能となる。また背側開口部１５０を閉塞したい場合には、使用者は、第１スライダー要素１５３Ａと第２スライダー要素１５３Ｂとを接触するよう操作することができる。
【００４６】
上記発明の趣旨に鑑み、本発明に係る作業工具に関しては、下記の態様が構成可能である。なお、各態様は、単独で、あるいは互いに組み合わされて用いられるだけでなく、請求項に記載された発明と組み合わされて用いられる。
（態様１）
温度調整部は、衣服に対して着脱可能に構成される。
（態様２）
温度調整部は、発熱装置により構成される。
（態様３）
胸側開口部は、胸側に設けられた胸側ポケットに開口されるとともに、胸側ポケット部は、当該胸側ポケット部を開閉自在とするための胸側開閉部を有する。
【符号の説明】
【００４７】
１００Ａ、１００Ｂ、１００Ｃ、１００Ｄ、１００Ｅ、１００Ｆ、１００Ｇ、１００Ｈ  作業上着（衣服）
１１０  外側領域
１１０Ａ  外装部
１１０Ｂ  外装部背側開口部
１１０Ｃ  ボタン
１１１  袖部
１１２  送風装置用開口部
１２０  内側領域
１２０Ａ  内装部
１２０Ｂ  内装部背側開口部
１２０Ｃ  ボタン孔
１３０  延在連結部
１４０  内部空間部
１４１  送風開口部
１４１Ａ  背側送風開口部
１４２  ファスナー
１５０  背側開口部（開口部）
１５１  ファスナー
１５２  務歯
１５３  スライダー
１５３Ａ  第１スライダー要素
１５３Ｂ  第２スライダー要素
１６０  胸ポケット部
１６１  ファスナー
１６２  シート部
１６３  胸側開口部（胸側開口部）
１６４  リング係合部
１７１  第１送風装置係合部
１７２  第２送風装置係合部
１８０  肩掛けベルト用開口部
１８１  ファスナー
１８２  務歯
１８３  スライダー
１９０  ポケット部
２００  送風装置（温度調整部）
２００Ａ  吸入領域
２００Ｂ  排出領域
２１０  送風ハウジング（本体部）
２１１  吸気口部
２１２  排気口部
２２０  送風ユニット
２２１  駆動モータ（モータ）
２２１Ａ  駆動軸
２２２  ファン
２３０  バッテリ受部
２３１  クリップ部
２４０  バッテリ
２５０  発熱装置（温度調節部）
２５１  カーボンファイバー
３００  安全帯
３００ａ  ベルト本体
３１０  安全装置
３１１  ハンガーフック（係合部）
３１２  リール
３１３  ロープ
３１４  リング（リング部）
３１５  リング保持部
３１６  リング
４００  肩掛けベルト
４００ａ  肩掛けベルト本体
４１０  刈払い機用フック（係合部、作業具用フック）
４２０  刈払い機（作業具）
４２１  操作棹
４２１ａ  フック受部
４２２  ハンドル
４２２ａ  操作部
４２３  駆動モータ
４２４  バッテリ
４２５  回転刈刃（回転体）
【手続補正書】
【提出日】令和2年5月22日(2020.5.22)
【手続補正１】
【補正対象書類名】特許請求の範囲
【補正対象項目名】全文
【補正方法】変更
【補正の内容】
【特許請求の範囲】
【請求項１】
作業具を支持するための作業具支持帯を装着した使用者に着用される衣服であって、
前記衣服の外部から吸入したエアを前記衣服と使用者の間に供給する送風装置と、
前記送風装置が取り付けられる第１開口部と、
前記作業具支持帯の一部を前記衣服から露出可能に構成された第２開口部と、
外装部と、
外縁部の少なくとも一部が前記外装部に接続されるとともに、前記衣服が前記使用者に着用された場合、前記外装部に対して使用者側に配置される内装部と、
前記外装部と前記内装部の間に形成された内部空間部と、を有し、
前記送風装置は、前記外装部に取り外し可能に取り付けられ、前記内部空間部へ前記エアを供給するように構成され、
前記第２開口部は、前記衣服の前身頃に設けられていることを特徴とする衣服。
【請求項２】
請求項１に記載された衣服であって、
前記前身頃は、ポケットを有し、
前記第２開口部は、前記ポケットの隣に設けられていることを特徴とする衣服。
【請求項３】
請求項２に記載された衣服であって、
前記第２開口部は、前記ポケットよりも前記使用者の脇側に設けられていることを特徴とする衣服。 
【請求項４】
作業具を支持するための作業具支持帯を装着した使用者に着用される衣服であって、
前記衣服の外部から吸入したエアを前記衣服と使用者の間に供給する送風装置と、
前記送風装置が取り付けられる第１開口部と、
前記作業具支持帯の一部を前記衣服から露出可能に構成された第２開口部と、
外装部と、
外縁部の少なくとも一部が前記外装部に接続されるとともに、前記衣服が前記使用者に着用された場合、前記外装部に対して使用者側に配置される内装部と、
前記外装部と前記内装部の間に形成された内部空間部と、を有し、
前記送風装置は、前記外装部に取り外し可能に取り付けられ、前記内部空間部へ前記エアを供給するように構成され、
前記第２開口部は、前記使用者が前記衣服を着用したときに前記使用者の側方側に位置することを特徴とする衣服。
【請求項５】
請求項１〜４のいずれか１項に記載された衣服であって、
前記第１開口部は、前記外装部に設けられ、
前記第２開口部は、前記内装部に設けられた開口の縁部と前記外装部に設けられた開口の縁部とが縫い合わせられることで構成されていることを特徴とする衣服。
【請求項６】
請求項１〜５のいずれか１項に記載された衣服であって、
前記第２開口部は、前記第２開口部の少なくとも一部を開閉可能とするよう構成された開閉部を有することを特徴とする衣服。
【請求項７】
請求項１〜６のいずれか１項に記載された衣服であって、
前記衣服は、使用者が起立して前記衣服を着用した状態における上下方向に基づき上側と下側を定義し、
務歯と、当該務歯に係止されたスライダーとを有し、前記第２開口部の少なくとも一部を開閉可能に構成されたファスナーを更に備え、
前記ファスナーは、前記スライダーを前記下側から前記上側へ移動させた場合に前記開閉部を開状態とし、前記スライダーを前記上側から前記下側へ移動させた場合に前記開閉部を閉状態とするよう構成されることを特徴とする衣服。
【請求項８】
請求項１〜７のいずれか１項に記載された衣服であって、
前記第２開口部は、２つ設けられていることを特徴とする衣服。 
【請求項９】
請求項１〜８のいずれか１項に記載された衣服であって、
前記作業工具は、刈払機であって、
前記第２開口部は、前記刈払い機用の前記作業具支持帯の一部を前記衣服から露出可能に構成されることを特徴とする衣服。
【請求項１０】
請求項９に記載された衣服であって、
前記作業具支持帯は、使用者の肩に懸下される肩掛けベルトと、前記刈払い機に係合可能に構成され、前記肩掛けベルトに接続されたフックとを有し、
前記第２開口部は、前記衣服が前記使用者に着用された状態で、前記フックが前記衣服の内側から外側へ通過可能に設けられていることを特徴とする衣服。
【請求項１１】
請求項１〜１０のいずれか１項に記載された衣服であって、
前記送風装置に電力を供給するバッテリを更に有することを特徴とする衣服。
【請求項１２】
作業具を支持するための作業具支持帯を装着した使用者に着用される衣服であって、
発熱装置と、
前記作業具支持帯の一部を前記衣服から露出可能に構成された開口部と、
外装部と、
外縁部の少なくとも一部が前記外装部に接続されるとともに、前記衣服が前記使用者に着用された場合、前記外装部に対して使用者側に配置される内装部と、
前記外装部と前記内装部の間に形成された内部空間部と、を有し、
前記発熱装置は、前記内部空間内のエアの温度を調整可能に構成され、
前記開口部は、前記衣服の前身頃に設けられていることを特徴とする衣服。
【請求項１３】
作業具を支持するための作業具支持帯を装着した使用者に着用される衣服であって、
発熱装置と、
前記作業具支持帯の一部を前記衣服から露出可能に構成された開口部と、
外装部と、
外縁部の少なくとも一部が前記外装部に接続されるとともに、前記衣服が前記使用者に着用された場合、前記外装部に対して使用者側に配置される内装部と、
前記外装部と前記内装部の間に形成された内部空間部と、を有し、
前記発熱装置は、前記内部空間内のエアの温度を調整可能に構成され、
前記開口部は、前記使用者が前記衣服を着用したときに前記使用者の側方側に位置することを特徴とする衣服。
【請求項１４】
請求項１２または１３に記載された衣服であって、
前記開口部は、前記開口部の少なくとも一部を開閉可能とするよう構成された開閉部を有することを特徴とする衣服。 
【請求項１５】
請求項１２〜１４のいずれか１項に記載された衣服であって、
前記発熱装置に電力を供給するバッテリを更に有することを特徴とする衣服。
【手続補正書】
【提出日】令和2年6月22日(2020.6.22)
【手続補正１】
【補正対象書類名】特許請求の範囲
【補正対象項目名】全文
【補正方法】変更
【補正の内容】
【特許請求の範囲】
【請求項１】
作業具を支持するための作業具支持帯を装着した使用者に着用される衣服であって、
前記衣服の外部から吸入したエアを前記衣服と使用者の間に供給する送風装置と、
前記送風装置が取り付けられる第１開口部と、
前記作業具支持帯の一部を前記衣服から露出可能に構成された第２開口部と、
外装部と、
外縁部の少なくとも一部が前記外装部に接続されるとともに、前記衣服が前記使用者に着用された場合、前記外装部に対して使用者側に配置される内装部と、
前記外装部と前記内装部の間に形成された内部空間部と、を有し、
前記送風装置は、前記外装部に取り外し可能に取り付けられ、前記内部空間部へ前記エアを供給するように構成され、
前記第２開口部は、前記衣服の前身頃に設けられていることを特徴とする衣服。
【請求項２】
請求項１に記載された衣服であって、
前記前身頃は、ポケットを有し、
前記第２開口部は、前記ポケットの隣に設けられていることを特徴とする衣服。
【請求項３】
請求項２に記載された衣服であって、
前記第２開口部は、前記ポケットよりも前記使用者の脇側に設けられていることを特徴とする衣服。 
【請求項４】
作業具を支持するための作業具支持帯を装着した使用者に着用される衣服であって、
前記衣服の外部から吸入したエアを前記衣服と使用者の間に供給する送風装置と、
前記送風装置が取り付けられる第１開口部と、
前記作業具支持帯の一部を前記衣服から露出可能に構成された第２開口部と、
外装部と、
外縁部の少なくとも一部が前記外装部に接続されるとともに、前記衣服が前記使用者に着用された場合、前記外装部に対して使用者側に配置される内装部と、
前記外装部と前記内装部の間に形成された内部空間部と、を有し、
前記送風装置は、前記外装部に取り外し可能に取り付けられ、前記内部空間部へ前記エアを供給するように構成され、
前記第２開口部は、前記使用者が前記衣服を着用したときに前記使用者の側方側に位置することを特徴とする衣服。
【請求項５】
請求項１〜４のいずれか１項に記載された衣服であって、
前記第１開口部は、前記外装部に設けられ、
前記第２開口部は、前記内装部に設けられた開口の縁部と前記外装部に設けられた開口の縁部とが縫い合わせられることで構成されていることを特徴とする衣服。
【請求項６】
請求項１〜５のいずれか１項に記載された衣服であって、
前記第２開口部は、前記第２開口部の少なくとも一部を開閉可能とするよう構成された開閉部を有することを特徴とする衣服。
【請求項７】
請求項１〜６のいずれか１項に記載された衣服であって、
前記衣服は、使用者が起立して前記衣服を着用した状態における上下方向に基づき上側と下側を定義し、
務歯と、当該務歯に係止されたスライダーとを有し、前記第２開口部の少なくとも一部を開閉可能に構成されたファスナーを更に備え、
前記ファスナーは、前記スライダーを前記下側から前記上側へ移動させた場合に前記開閉部を開状態とし、前記スライダーを前記上側から前記下側へ移動させた場合に前記開閉部を閉状態とするよう構成されることを特徴とする衣服。
【請求項８】
請求項１〜７のいずれか１項に記載された衣服であって、
前記第２開口部は、２つ設けられていることを特徴とする衣服。 
【請求項９】
請求項１〜８のいずれか１項に記載された衣服であって、
前記作業工具は、刈払機であって、
前記第２開口部は、前記刈払い機用の前記作業具支持帯の一部を前記衣服から露出可能に構成されることを特徴とする衣服。
【請求項１０】
請求項９に記載された衣服であって、
前記作業具支持帯は、使用者の肩に懸下される肩掛けベルトと、前記刈払い機に係合可能に構成され、前記肩掛けベルトに接続されたフックとを有し、
前記第２開口部は、前記衣服が前記使用者に着用された状態で、前記フックが前記衣服の内側から外側へ通過可能に設けられていることを特徴とする衣服。
【請求項１１】
請求項１〜１０のいずれか１項に記載された衣服であって、
前記送風装置に電力を供給するバッテリを更に有することを特徴とする衣服。
【請求項１２】
作業具を支持するための作業具支持帯を装着した使用者に着用される衣服であって、
発熱装置と、
前記作業具支持帯の一部を前記衣服から露出可能に構成された開口部と、
外装部と、
外縁部の少なくとも一部が前記外装部に接続されるとともに、前記衣服が前記使用者に着用された場合、前記外装部に対して使用者側に配置される内装部と、
前記外装部と前記内装部の間に形成された内部空間部と、を有し、
前記発熱装置は、前記内部空間部内のエアの温度を調整可能に構成され、
前記開口部は、前記衣服の前身頃に設けられていることを特徴とする衣服。
【請求項１３】
作業具を支持するための作業具支持帯を装着した使用者に着用される衣服であって、
発熱装置と、
前記作業具支持帯の一部を前記衣服から露出可能に構成された開口部と、
外装部と、
外縁部の少なくとも一部が前記外装部に接続されるとともに、前記衣服が前記使用者に着用された場合、前記外装部に対して使用者側に配置される内装部と、
前記外装部と前記内装部の間に形成された内部空間部と、を有し、
前記発熱装置は、前記内部空間部内のエアの温度を調整可能に構成され、
前記開口部は、前記使用者が前記衣服を着用したときに前記使用者の側方側に位置することを特徴とする衣服。
【請求項１４】
請求項１２または１３に記載された衣服であって、
前記開口部は、前記開口部の少なくとも一部を開閉可能とするよう構成された開閉部を有することを特徴とする衣服。 
【請求項１５】
請求項１２〜１４のいずれか１項に記載された衣服であって、
前記発熱装置に電力を供給するバッテリを更に有することを特徴とする衣服。